(57)【要約】【課題】従来と比して一段と容易に所望のコンテンツデータを検索できるようにする。【解決手段】ユーザの操作により所定の範囲内で変位し得る操作対象６に対する操作に応じて出力される、当該操作対象６の変位量を示すパラメータが、第１の範囲内にある間は、コンテンツデータを順に選択する一方で、パラメータが第２の範囲内にある間は、コンテンツデータのグループを順に選択し、選択したコンテンツデータ及び選択したグループを通知するようにしたことにより、従来と比して一段と容易に所望のコンテンツデータを検索できる。【選択図】図１
2010091629.tif 000002
【特許請求の範囲】
【請求項１】
コンテンツデータと、当該コンテンツデータを所定の単位でまとめる第１のグループを識別するための第１のグループ識別情報とを記憶する記憶部と、
ユーザの操作により所定の範囲内で変位し得る操作対象に対する操作に応じて、当該操作対象の変位量を示すパラメータを出力するパラメータ出力部と、
上記パラメータ出力部から出力されたパラメータが第１の範囲内にある間は、上記記憶部に記憶されたコンテンツデータを順に選択する一方で、上記パラメータが第２の範囲内にある間は、上記記憶部に記憶された上記第１のグループ識別情報を順に選択することで上記第１のグループを順に選択する選択部と、
上記選択部により上記コンテンツデータが選択された場合にどのコンテンツデータが選択されたかを通知し、上記選択部により上記第１のグループが選択された場合にどのグループが選択されたかを通知する通知部と
を具える情報処理装置。
【請求項２】
上記操作対象は、回転可能な操作部であり、
上記パラメータ出力部は、
上記操作部の回転量を示すパラメータを出力する
請求項１に記載の情報処理装置。
【請求項３】
上記記憶部は、
上記コンテンツデータと、上記第１のグループ識別情報とを階層構造で記憶する
請求項１に記載の情報処理装置。
【請求項４】
上記通知部は、
上記選択部により上記第１のグループが選択された場合に、選択された第１のグループを音声でアナウンスすることでどのグループが選択されたかを通知する
請求項１に記載の情報処理装置。
【請求項５】
上記コンテンツデータは、音楽データである
請求項２に記載の情報処理装置。
【請求項６】
上記通知部は、
上記選択部により上記音楽データが選択された場合に、選択された音楽データを再生することでどの音楽データが選択されたかを通知する
請求項５に記載の情報処理装置。
【請求項７】
上記通知部は、
上記選択された音楽データのサビ部分を再生することでどの音楽データが選択されたかを通知する
請求項６に記載の情報処理装置。
【請求項８】
上記通知部は、
上記選択された音楽データのサビ部分の再生時間を、上記パラメータ出力部から出力されたパラメータに応じて変化させる
請求項７に記載の情報処理装置。
【請求項９】
上記通知部は、
上記選択部により選択された音楽データを再生すると共に、再生する音楽データの切り替わり時に、当該切り替わりを通知する為の効果音データを再生する
請求項５に記載の情報処理装置。
【請求項１０】
上記通知部は、
上記選択部により上記第１のグループが選択された場合に、選択された第１のグループに属する音楽データを順に再生する
請求項５に記載の情報処理装置。
【請求項１１】
上記通知部は、
上記パラメータが上記第１の範囲内から上記第２の範囲内に変化した場合、及び上記第２の範囲内から上記第１の範囲内に変化した場合に、上記選択部による選択対象が切り替わった旨を通知する
請求項１に記載の情報処理装置。
【請求項１２】
上記選択部は、
上記パラメータが上記第２の範囲内から上記第１の範囲内に変化した場合、上記パラメータが上記第２の範囲内にあるときに選択していた第１のグループに属する音楽データから順に選択する
請求項５に記載の情報処理装置。
【請求項１３】
上記音楽データには、予め所定の順序が設定されており、
上記選択部は、
当該順序に従って、上記音楽データを順に選択する
請求項５に記載の情報処理装置。
【請求項１４】
上記選択部は、
最後尾の音楽データまで選択し終えたら、次に先頭の音楽データを選択する
請求項１３に記載の情報処理装置。
【請求項１５】
上記コンテンツデータを上記第１のグループとしてまとめる単位を切り替えるための切替操作部を有する
請求項１に記載の情報処理装置。
【請求項１６】
上記記憶部には、上記第１のグループを所定の単位でまとめる第２のグループを識別するための第２のグループ識別情報が記憶され、
上記選択部は、
上記パラメータ出力部から出力されたパラメータが第３の範囲内にある間は、上記記憶部に記憶された上記第２のグループ識別情報を順に選択することで上記第２のグループを順に選択し、
上記通知部は、
上記選択部により上記第２のグループが選択された場合にどのグループが選択されたかを通知する
請求項１に記載の情報処理装置。
【請求項１７】
上記操作部は、一方向及び他方向に回転可能であり、
上記パラメータ出力部は、
上記操作部が上記一方向に回転された場合に＋のパラメータを出力する一方で、上記他方向に回転された場合に−のパラメータを出力し、
上記選択部は、
上記パラメータ出力部から出力されたパラメータが＋のパラメータである場合と、−のパラメータである場合とで、上記音楽データ及び上記第１のグループを選択する順序を逆にする
請求項２に記載の情報処理装置。
【請求項１８】
コンテンツデータと、当該コンテンツデータを所定の単位でまとめる第１のグループを識別するための第１のグループ識別情報とを記憶部が記憶しておき、
ユーザの操作により所定の範囲内で変位し得る操作対象に対する操作に応じて、当該操作対象の変位量を示すパラメータをパラメータ出力部が出力し、
上記パラメータ出力部から出力されたパラメータが第１の範囲内にある間は、上記記憶部に記憶されたコンテンツデータを選択部が順に選択する一方で、上記パラメータが第２の範囲内にある間は、上記記憶部に記憶された上記第１のグループ識別情報を順に選択することで上記第１のグループを選択部が順に選択し、
上記選択部により上記コンテンツデータが選択された場合にどのコンテンツデータが選択されたかを通知部が通知し、上記選択部により上記第１のグループが選択された場合にどのグループが選択されたかを通知部が通知する
情報処理方法。
【請求項１９】
ユーザの操作により所定の範囲内で変位し得る操作部と、
上記操作部に対する操作に応じて、上記操作部の変位量を示すパラメータを出力するパラメータ出力部と、
上記パラメータ出力部から出力されたパラメータを外部に送信する送信部と
を有する操作装置と、
上記操作装置から送信される上記パラメータを受信する受信部と、
コンテンツデータと、当該コンテンツデータを所定の単位でまとめる第１のグループを識別するための第１のグループ識別情報とを記憶する記憶部と、
上記受信部により受信されたパラメータが第１の範囲内にある間は、上記記憶部に記憶されたコンテンツデータを順に選択する一方で、上記パラメータが第２の範囲内にある間は、上記記憶部に記憶された上記第１のグループ識別情報を順に選択することで上記第１のグループを順に選択する選択部と、
上記選択部により上記コンテンツデータが選択された場合にどのコンテンツデータが選択されたかを通知し、上記選択部により上記第１のグループが選択された場合にどのグループが選択されたかを通知する通知部と
を有する情報処理装置と
を具える情報処理システム。
【請求項２０】
コンピュータに、
ユーザの操作により所定の範囲内で変位し得る操作対象に対する操作に応じて、当該操作対象の変位量を示すパラメータをパラメータ出力部が出力する出力ステップと、
選択部が、上記パラメータ出力部から出力されたパラメータが第１の範囲内にある間は、記憶部に記憶されたコンテンツデータを順に選択する一方で、上記パラメータが第２の範囲内にある間は、記憶部に記憶された、コンテンツデータを所定の単位でまとめる第１のグループを識別するための第１のグループ識別情報を順に選択することで上記第１のグループを順に選択するステップと、
上記選択部により上記コンテンツデータが選択された場合にどのコンテンツデータが選択されたかを通知部が通知し、上記選択部により上記第１のグループが選択された場合にどのグループが選択されたかを通知部が通知するステップと
を実行させるための情報処理プログラム。
【発明の詳細な説明】
【技術分野】
【０００１】
本発明は、情報処理装置、情報処理方法、情報処理システム及び情報処理プログラムに関し、例えば、コンテンツデータの検索に適用して好適なものである。
【背景技術】
【０００２】
近年、ハードディスクやフラッシュメモリなどの記憶媒体を搭載し、この記憶媒体に記憶したコンテンツデータを再生する記憶再生装置が広く普及している。この種の記憶再生装置では、記憶媒体の大容量化とデータ圧縮技術の進歩にともなって、記憶できるコンテンツデータの数が飛躍的に増加した。
【０００３】
実際上、記憶容量が数ギガバイトのフラッシュメモリを搭載した記憶再生装置の場合、１曲あたり数メガバイトの音楽データを数百〜数千曲以上も記憶することができる。
【０００４】
ところが、記憶再生装置に記憶できるコンテンツデータの数が増えれば増えるほど、ユーザに所望のコンテンツデータを検索させることが困難になり、検索性が低下する。
【０００５】
そこで、従来の記憶再生装置では、例えば、コンテンツデータをその属性により複数のグループに分け、グループの検索をしてからグループ内のコンテンツデータを検索するように検索範囲を切り替えることで、所望のコンテンツデータを検索し易くしていた。
【０００６】
因みに、属性とは、音楽データを例に挙げると、ジャンル、アルバムタイトル、アーティスト名などである。
【０００７】
また、このように検索範囲を切り替えながら検索を行う為の操作デバイスとして、押し込み操作と回転操作とが可能な回転操作部を有する操作デバイスが提案されている（例えば特許文献１参照）。
【０００８】
この操作デバイスでは、回転操作部に対する押し込み操作に応じて、検索範囲を切り替えることができ、さらに回転操作部に対する回転操作に応じて、そのときの検索範囲で検索できるようになっている。
【特許文献１】特開２００７−３５１５０号公報
【発明の開示】
【発明が解決しようとする課題】
【０００９】
ところで、上述した操作デバイスでは、検索範囲の切り替えと、そのときの検索範囲での検索とを別々の操作で行う必要があり、これを同一の操作で実現できれば、より容易に所望のコンテンツデータをユーザに検索させることができるようになると考えられる。
【００１０】
本発明は以上の点を考慮してなされたもので、従来と比して一段と容易に所望のコンテンツデータを検索できる情報処理装置、情報処理方法、情報処理プログラム及び情報処理システムを提案しようとするものである。
【課題を解決するための手段】
【００１１】
かかる課題を解決するため本発明の情報処理装置においては、コンテンツデータと、当該コンテンツデータを所定の単位でまとめる第１のグループを識別するための第１のグループ識別情報とを記憶する記憶部と、ユーザの操作により所定の範囲内で変位し得る操作対象に対する操作に応じて、当該操作対象の変位量を示すパラメータを出力するパラメータ出力部と、パラメータ出力部から出力されたパラメータが第１の範囲内にある間は、記憶部に記憶されたコンテンツデータを順に選択する一方で、パラメータが第２の範囲内にある間は、記憶部に記憶された第１のグループ識別情報を順に選択することで第１のグループを順に選択する選択部と、選択部によりコンテンツデータが選択された場合にどのコンテンツデータが選択されたかを通知し、選択部により第１のグループが選択された場合にどのグループが選択されたかを通知する通知部とを設けるようにした。
【００１２】
このように、ユーザの操作により所定の範囲内で変位し得る操作対象に対する操作に応じて出力される、当該操作対象の変位量を示すパラメータが、第１の範囲内にある間は、コンテンツデータを順に選択する一方で、パラメータが第２の範囲内にある間は、コンテンツデータのグループを順に選択し、さらにコンテンツデータを選択した場合には選択したコンテンツデータを通知し、グループを選択した場合には選択したグループを通知するようにした。
【００１３】
また本発明の情報処理システムにおいては、ユーザの操作により所定の範囲内で変位し得る操作部と、操作部に対する操作に応じて操作部の変位量を示すパラメータを出力するパラメータ出力部と、パラメータ出力部から出力されたパラメータを外部に送信する送信部とを有する操作装置と、操作装置から送信されるパラメータを受信する受信部と、コンテンツデータと当該コンテンツデータを所定の単位でまとめる第１のグループを識別するための第１のグループ識別情報とを記憶する記憶部と、受信部により受信されたパラメータが第１の範囲内にある間は、記憶部に記憶されたコンテンツデータを順に選択する一方で、パラメータが第２の範囲内にある間は、記憶部に記憶された第１のグループ識別情報を順に選択することで第１のグループを順に選択する選択部と、選択部によりコンテンツデータが選択された場合にどのコンテンツデータが選択されたかを通知し、選択部により第１のグループが選択された場合にどのグループが選択されたかを通知する通知部とを有する情報処理装置とを設けるようにした。
【００１４】
このように、ユーザの操作により所定の範囲内で変位し得る操作部に対する操作に応じて出力される、当該操作部の変位量を示すパラメータが操作装置から情報処理装置に送信され、情報処理装置が、当該パラメータが第１の範囲内にある間は、コンテンツデータを順に選択する一方で、パラメータが第２の範囲内にある間は、コンテンツデータのグループを順に選択し、さらにコンテンツデータを選択した場合には選択したコンテンツデータを通知し、グループを選択した場合には選択したグループを通知するようにした。
【００１５】
こうすることで、本発明においては、単一の操作でありながら、その変位量によって選択対象をコンテンツデータとそのグループとに切り替えることができ、さらに選択したコンテンツデータまたはそのグループをユーザに認識させながら、順にコンテンツデータまたはそのグループを選択していくことができる。
【発明の効果】
【００１６】
本発明によれば、単一の操作でありながら、その変位量によって選択対象をコンテンツデータとそのグループとに切り替えることができ、さらに選択したコンテンツデータまたはそのグループをユーザに認識させながら、順にコンテンツデータまたはそのグループを選択していくことができ、かくして、従来と比して一段と容易に所望のコンテンツデータを検索できる情報処理装置、情報処理方法、情報処理システム及び情報処理プログラムを実現できる。
【発明を実施するための最良の形態】
【００１７】
以下、図面について、本発明の実施の形態を詳述する。
【００１８】
（１）第１の実施の形態
（１−１）第１の実施の形態の概要
まず、第１の実施の形態の概要を説明する。ちなみにこの概要を説明した後、第１の実施の形態の具体例の説明に移る。
【００１９】
図１（Ａ）において１は、第１の実施の形態の概要となる情報処理装置を示す。この情報処理装置１は、記憶部２と、パラメータ出力部３と、選択部４と、通知部５とを有している。
【００２０】
記憶部２は、コンテンツデータ（例えば音楽データ）と、当該コンテンツデータを所定の単位でまとめる第１のグループ（例えばアルバムやアーティスト）を識別するための第１のグループ識別情報（例えばアルバムタイトルやアーティスト名）とを記憶するようになっている。パラメータ出力部３は、ユーザの操作により所定の範囲内で変位し得る操作対象６に対する操作に応じて、当該操作対象６の変位量を示すパラメータを出力するようになっている。
【００２１】
選択部４は、パラメータ出力部３から出力されたパラメータが第１の範囲内にある間は、記憶部２に記憶されたコンテンツデータを順に選択する。また選択部４は、パラメータが第２の範囲内にある間は、記憶部２に記憶された第１のグループ識別情報を順に選択することで第１のグループを順に選択するようになっている。通知部５は、選択部４によりコンテンツデータが選択された場合にどのコンテンツデータが選択されたかを通知し、選択部４により第１のグループが選択された場合にどのグループが選択されたかを通知するようになっている。
【００２２】
このような構成により情報処理装置１は、単一の操作でありながら、その変位量によって選択対象をコンテンツデータまたはそのグループに切り替えることができる。さらに情報処理装置１は、選択したコンテンツデータまたはそのグループをユーザに認識させながら、順にコンテンツデータまたはそのグループを選択していくことができる。かくして、情報処理装置１は、従来と比して一段と容易に所望のコンテンツデータを検索することができる。
【００２３】
因みに、操作対象６は、例えば、ダイヤルのように、ユーザの操作により所定の範囲内で変位し得るものであればよく、ハードウェアによって実現されていてもよいし、ＧＵＩ（Graphical  User  Interface）によって実現されていてもよい。
【００２４】
また、図１（Ｂ）に示す情報処理システム１０のように、操作対象６が操作装置１１として情報処理装置１２と外部接続され、この操作装置１１から情報処理装置１２に対してパラメータを送信するようになっていてもよい。
【００２５】
この場合の操作装置１１は、操作部１３と、パラメータ出力部１４と、送信部１５とを有している。操作部１３は、ユーザの操作により所定の範囲内で変位し得るようになっている。パラメータ出力部１４は、操作部１３に対する操作に応じて操作部１３の変位量を示すパラメータを出力するようになっている。送信部１５は、パラメータ出力部１４から出力されたパラメータを外部の情報処理装置１２に送信するようになっている。
【００２６】
一方、この場合の情報処理装置１２は、受信部１６と、記憶部１７と、選択部１８と、通知部１９とを有している。受信部１６は、操作装置１１から送信されるパラメータを受信するようになっている。記憶部１７は、コンテンツデータと当該コンテンツデータを所定の単位でまとめる第１のグループを識別するための第１のグループ識別情報とを記憶するようになっている。
【００２７】
選択部１８は、受信部１６により受信されたパラメータが第１の範囲内にある間は、記憶部１７に記憶されたコンテンツデータを順に選択する一方で、パラメータが第２の範囲内にある間は、記憶部１７に記憶された第１のグループ識別情報を順に選択することで第１のグループを順に選択するようになっている。通知部１９は、選択部１８によりコンテンツデータが選択された場合にどのコンテンツデータが選択されたかを通知し、選択部１８により第１のグループが選択された場合にどのグループが選択されたかを通知するようになっている。
【００２８】
このような構成により情報処理システム１０は、情報処理装置１と同様に、単一の操作でありながら、その変位量によって選択対象をコンテンツデータまたはそのグループに切り替えることができる。さらに情報処理システム１０は、選択したコンテンツデータまたはそのグループをユーザに認識させながら、順にコンテンツデータまたはそのグループを選択していくことができる。かくして、情報処理システム１０は、従来と比して一段と容易に所望のコンテンツデータを検索することができる。
【００２９】
（１−２）第１の実施の形態の具体例
（１−２−１）携帯型再生装置の外観構成
図２において１００は、上述した情報処理装置１の具体例である携帯型再生装置の外観構成を示す。
【００３０】
携帯型再生装置１００は、略円柱状の筐体１０１を有している。この筐体１０１の一端部には、筐体１０１の形状に沿うように略円柱状のダイヤル型でなる回転操作部１０２が設けられている。つまり、この携帯型再生装置１００は、筐体１０１と回転操作部１０２とで、全体として略円柱状の形状を成しており、その大きさは、例えば片手で把持し得る程度の大きさに選定されている。
【００３１】
回転操作部１０２は、筐体１０１の長手方向の中心軸Ａ１を回転軸として、回転操作部１０２を真上から見て矢印Ｂ１で示す時計回り方向及び矢印Ｂ２で半時計回り方向に回転できるように筐体１０１に取り付けられている。
【００３２】
この回転操作部１０２は、内部の付勢部材（例えばバネ）により所定の基準位置に付勢されるようになっており、ユーザの操作により、この基準位置から例えば＋−１００度の範囲で回転できるようになっている。尚、ここでは、矢印Ｂ２で示す半時計回り方向を＋方向、矢印Ｂ１で示す時計回り方向を−方向とする。
【００３３】
さらにこの回転操作部１０２の上面には、再生／一時停止ボタン１０３が設けられている。
【００３４】
また筐体１０１の他端部には、イヤホン端子１０４が設けられ、このイヤホン端子１０４にイヤホン１０５を接続できるようになっている。
【００３５】
またこの他端部には、外部装置（例えばパーソナルコンピュータ）と接続する為の外部接続端子１０６が設けられ、この外部接続端子１０６にケーブル（図示せず）を接続できるようになっている。携帯型再生装置１００は、この外部接続端子１０６に接続されたケーブルを介して外部装置と接続できるようになっている。
【００３６】
そして携帯型再生装置１００は、ケーブルを介して接続された外部装置から音楽データが転送されてくると、これを筐体１０１内の記憶部（図示せず）に記憶する。その後、ケーブルが外され、再生／一時停止ボタン１０３が押下されると、携帯型再生装置１００は、筐体１０１内の記憶部に記憶している音楽データの再生を開始する。
【００３７】
そして携帯型再生装置１００は、音楽データを再生することで得られる音声信号に基づく音声を、イヤホン端子１０４に接続されたイヤホン１０５から出力する。このようにして携帯型再生装置１００は、音楽データを再生するようになっている。
【００３８】
さらに携帯型再生装置１００は、回転操作部１０２の回転操作に応じて、音楽データをサビ部分の音声やアナウンスなどにより検索できるようにもなっている。このような検索を音声検索とも呼び、この音声検索の詳細については後述する。
【００３９】
（１−２−２）携帯型再生装置の内部構成（機能構成）
次に携帯型再生装置１００の内部構成について説明する。図３に示すように、携帯型再生装置１００は、制御部１１０と、操作部１１１と、記憶部１１２と、パラメータ出力部１１３と、選択部１１４と、再生部１１５と、外部接続部１１６とを有している。
【００４０】
尚、操作部１１１には、上述した回転操作部１０２及び再生／一時停止ボタン１０３が含まれる。また再生部１１５には、上述したイヤホン端子１０４が含まれる。また外部接続部１１６には、上述した外部接続端子１０６が含まれる。
【００４１】
ここで、記憶部１１２が、情報処理装置１の記憶部２に対応する機能部であり、パラメータ出力部１１３が、情報処理装置１のパラメータ出力部３に対応する機能部である。また選択部１１４が、情報処理装置１の選択部４に対応する機能部であり、再生部１１５が、情報処理装置１の通知部５に対応する機能部である。
【００４２】
この携帯型再生装置１００は、外部接続部１１６及びケーブルを介して外部装置と接続された状態で、この外部装置から音楽データが転送されてくると、これを記憶部１１２に記憶する。
【００４３】
このとき外部装置からは、音楽データとともに、この音楽データの関連情報が転送されてくる。携帯型再生装置１００は、この関連情報も記憶部１１２に記憶する。尚、この関連情報には、音楽データに基づく曲を識別する為の曲タイトル、アーティストを識別する為のアーティスト名、この曲が収録されたアルバムを識別する為のアルバムタイトル、収録されたアルバムでのトラック番号などの属性情報が含まれている。また、アルバムのジャケット画像や、曲のサビ位置などの属性情報も含まれている。
【００４４】
さらに、この携帯型再生装置１００では、制御部１１０が、この関連情報をもとに、図４に示すような階層構造の関連情報データベースＤｂを構築するようになっている。この関連情報データベースＤｂは、アーティスト名のイニシャル（先頭文字のことであり「Ａ」、「Ｂ」など）を最上位の階層として、その直下の階層に、各イニシャルを先頭文字とするアーティスト名を配した構造でなる。さらにこの関連情報データベースＤｂは、アーティスト名の直下の階層に、各アーティストのアルバムのアルバムタイトルを配した構造でなる。さらにこの関連情報データベースＤｂは、アルバムタイトルの直下の階層である最下位階層に、各アルバムに収録されたトラックを配した構造でなる。
【００４５】
尚、最下位階層のトラックのそれぞれが、記憶部１１２に記憶された音楽データに対応する。
【００４６】
またこの関連情報データベースの各階層はそれぞれソートできるようになっている。例えば、初期設定では、イニシャルがアルファベット順にソートされ、その直下の階層のアーティスト名がイニシャルごとにアルファベット順にソートされる。さらにその直下の階層のアルバムタイトルがアーティスト名ごとにアルファベット順にソートされ、その直下の階層のトラックがアルバムタイトルごとにトラック番号順にソートされる。
【００４７】
つまり各階層は、上位の階層がソートされたうえでソートされる。例えば、最下位階層のトラック（つまり音楽データ）は、その上位の階層であるイニシャル、アーティスト名、アルバムタイトルがソートされたうえでソートされる。
【００４８】
さらに関連情報には、後述する音声検索に利用する、アーティスト名をアナウンスする為のアーティスト名音声データ、アルバムタイトルをアナウンスする為のアルバムタイトル音声データが含まれている。またこれらの音声データとは別に、イニシャルをアナウンスする為のイニシャル音声データが記憶部１１２にあらかじめ記憶されている。
【００４９】
その後、ケーブルが外され、操作部１１１の再生／一時停止ボタン１０３が押下操作されると、携帯型再生装置１００は、通常再生モードになり、選択部１１４が記憶部１１２されている音楽データの１つを選択する。すると再生部１１５が、この音楽データの再生を開始する。
【００５０】
そして再生部１１５は、音楽データを再生することで得られる音声信号に基づく音声（つまり曲の音声）をイヤホン１０５から出力する。こうすることで携帯型再生装置１００は、音楽データに基づく曲の音声をユーザに聴かせることができる。
【００５１】
さらに携帯型再生装置１００は、操作部１１１の回転操作部１０２が回転操作されると、音声検索モードになり、音楽データの音声検索を行う。
【００５２】
具体的に携帯型再生装置１００では、操作部１１１の回転操作部１０２が回転操作されると、この回転量を示すパラメータがパラメータ出力部１１３から出力され、このパラメータが選択部１１４及び再生部１１５に送られる。
【００５３】
ここで、パラメータ出力部１１３は、図５に示すように、回転操作部１０２が基準位置にあるときには、パラメータとして「０」を出力し、回転操作部１０２が＋９０度の位置にあるときには、パラメータとして「１３」を出力するようになっている。さらにパラメータ出力部１１３は、回転操作部１０２が基準位置から＋９０度の間にあるときには、その回転量に応じて、パラメータとして「１」〜「１２」を出力するようになっている。
【００５４】
つまりパラメータ出力部１１３は、回転操作部１０２が＋方向に回転操作された場合、その回転量（０％（基準位置）〜１００％（＋９０度の位置））に応じて、「０」〜「１３」の１４段階のパラメータを出力するようになっている。
【００５５】
またパラメータ出力部１１３は、回転操作部１０２が−方向に回転操作された場合も同様に、その回転量（０％（基準位置）〜１００％（−９０度の位置））に応じて、「０」〜「１３」の１４段階のパラメータを出力するようになっている。
【００５６】
尚、＋方向への回転と−方向への回転とを区別する為に、パラメータ出力部１１３は、例えば、＋方向への回転量を示すパラメータには＋の符号を、−方向への回転量を示すパラメータには−の符号を付して出力するようにもなっている。
【００５７】
選択部１１４は、記憶部１１２に記憶された関連情報データベースＤｂを利用して、パラメータ出力部１１３から出力されたパラメータ（つまり回転操作部１０２の回転量）に応じて、選択対象（つまり検索範囲）を切り換えるようになっている。
【００５８】
すなわち選択部１１４は、図６に示すように、パラメータが「１」〜「９」であるときには、関連情報データベースＤｂに登録されている最下位階層のトラック（音楽データ）を選択対象として、ソートされている順に所定時間（例えば数秒）ごとに選択していく。
【００５９】
ここで、関連情報データベースＤｂに登録されているトラックは、上述したように、上位の階層であるイニシャル、アーティスト名、アルバムタイトルがソートされたうえで、アルバムタイトルごとにトラック番号順にソートされている。
【００６０】
このとき、最下位階層のトラックは、アルファベット順にソートされたイニシャルごとに大きく区分され、さらに各イニシャルのなかでアルファベット順にソートされたアーティスト名ごとに区分されている。さらにトラックは、各アーティスト名のなかでアルファベット順にソートされたアルバムタイトルごとに細かく区分され、最後に各アルバムタイトルのなかでトラック番号順に並べられている。
【００６１】
つまりトラックの全ては、イニシャル、アーティスト名、アルバムタイトルの順に区分されて１列に並べられた状態である。
【００６２】
選択部１１４は、このようにイニシャル、アーティスト名、アルバムタイトルの順に区分されて１列に並べられた状態のトラックを順に選択していく。尚、この場合の選択部１１４は、最後尾のトラックの次が先頭のトラックと認識するようになっている。
【００６３】
このとき再生部１１５は、選択部１１４により選択されたトラックのサビ部分を再生する。
【００６４】
このように携帯型再生装置１００は、パラメータ出力部１１３から出力されるパラメータが「１」〜「９」の場合には、トラックを順に選択しながら、選択したトラックのサビ部分を再生していく。
【００６５】
つまり、この場合の携帯型再生装置１００は、トラックのサビ部分を順に再生していくことで、所望の曲をユーザに検索させることができる。尚、このように、トラックのサビ部分を再生することで所望の曲を検索することをサビ検索とも呼び、このとき携帯型再生装置１００は、音声検索モードでのサビ検索モードであるとする。
【００６６】
またこのサビ検索モード時に、選択部１１４により選択されるトラックが、或るアーティスト名に区分されたトラックから別のアーティスト名に区分されたトラックに切り替わったとする。つまり、選択部１１４により、トラックの選択にともなって、選択されているアーティスト名が切り替わったとする。すると再生部１１５は、切り替わったアーティスト名に対応するアーティスト名音声データを再生するようになっている。
【００６７】
またこのサビ検索モード時に、選択部１１４により選択されるトラックが、或るアルバムタイトルに区分されたトラックから別のアルバムタイトルに区分されたトラックに切り替わったとする。つまり、選択部１１４により、トラックの選択にともなって、選択されているアルバムタイトルが切り替わったとする。すると再生部１１５は、切り替わったアルバムタイトルに対応するアーティスト名音声データを再生するようになっている。
【００６８】
こうすることで、携帯型再生装置１００は、現在どのアーティストのどのアルバムに収録されたトラックを選択しているのかを、ユーザに音声のみで容易に認識させることができる。
【００６９】
また選択部１１４は、パラメータが「１０」〜「１２」であるときには、関連情報データベースＤｂに登録されているトラックの上位階層であるアーティスト名を選択対象として、ソートされている順に所定時間ごとに選択していく。
【００７０】
このとき再生部１１５は、選択部１１４により選択されたアーティスト名に対応するアーティスト名音声データを再生する。
【００７１】
このように携帯型再生装置１００は、パラメータ出力部１１３から出力されるパラメータが「１０」〜「１２」の場合には、アーティスト名を順に選択しながら、選択したアーティスト名に対応するアーティスト名音声データを再生していく。
【００７２】
つまり、この場合の携帯型再生装置１００は、アーティスト名音声データを順に再生していくことで、所望のアーティスト名をユーザに検索させることができる。尚、このように、アーティスト名音声データを再生することで、所望のアーティスト名を検索することをアーティスト検索とも呼び、このとき携帯型再生装置１００は、音声検索モードでのアーティスト検索モードであるとする。
【００７３】
さらに選択部１１４は、パラメータが「１３」であるときには、関連情報データベースＤｂに登録されているアーティスト名の上位階層であるイニシャルを選択対象として、ソートされている順に所定時間ごとに選択していく。
【００７４】
このとき再生部１１５は、選択部１１４により選択されたイニシャルに対応するイニシャル音声データを再生する。
【００７５】
このように携帯型再生装置１００は、パラメータ出力部１１３から出力されるパラメータが「１３」の場合には、イニシャルを順に選択しながら、選択したイニシャルに対応するイニシャル音声データを再生していく。
【００７６】
つまり、この場合の携帯型再生装置１００は、イニシャル音声データを順に再生していくことで、所望のイニシャルをユーザに検索させることができる。尚、このように、イニシャル音声データを再生することで、所望のイニシャルを検索することをイニシャル検索とも呼び、このとき携帯型再生装置１００は、音声検索モードでのイニシャル検索モードであるとする。
【００７７】
尚、パラメータの符号が−である場合、選択部１１４は、パラメータの符号が＋である場合とは逆順で選択していくようになっている。
【００７８】
さらに再生部１１５は、選択部１１４によるトラック、アーティスト名、イニシャルの選択などに応じて、各種効果音データを再生する。各種効果音データは、あらかじめ記憶部１１２に記憶されており、その詳細については後述する。
【００７９】
このように携帯型再生装置１００では、回転操作部１０２を回転させる単一の操作でありながら、その回転量によってイニシャル検索モードと、アーティスト検索モードと、サビ検索モードとを切り替えながら音楽データを検索することができる。
【００８０】
このとき携帯型再生装置１００は、回転操作部１０２の回転量が多くなるほどイニシャル検索のように大まかな検索、少なくなるほどサビ検索のように細かな検索を行うことができるので、より直感的な検索操作をユーザに提供することができる。
【００８１】
また携帯型再生装置１００は、どのイニシャル、どのアーティスト名、どの曲タイトルを選択しているのかをユーザに音声で認識させることができるので、表示部がなくとも、何を選択しているのかをユーザに容易に認識させることができる。
【００８２】
かくしてユーザは、回転操作部１０２を操作する手の感覚と、イヤホン１０５から聞こえてくる音声だけで、携帯型再生装置１００に記憶された数多くの音楽データのなかから所望の音楽データを容易に検索することができる。
【００８３】
その後、携帯型再生装置１００は、回転操作部１０２が基準位置に戻されると（つまりパラメータ出力部１１３から出力されるパラメータが「０」になると）、音声検索モードから通常再生モードに戻る。
【００８４】
このとき選択部１１４は、通常再生モードになる直前に、トラックを選択していた場合、引き続きそのトラックを選択する。このとき再生部１１５は、通常再生モードになる直前にサビ部分を再生していた音楽データを引き続き再生する。
【００８５】
また選択部１１４は、通常再生モードになる直前に、アーティスト名を選択していた場合、そのアーティスト名に区分されているトラックの１つ（つまり選択していたアーティスト名のアーティストが作った曲の１つ）を選択する。
【００８６】
さらに選択部１１４は、通常再生モードになる直前に、イニシャルを選択していた場合、そのイニシャルに区分されているトラックの１つ（つまり選択していたイニシャルを持つアーティスト名のアーティストが作った曲の１つ）を選択する。
【００８７】
そしてこのとき再生部１１５は、選択部１１４により選択されたトラックに対応する音楽データを再生する。
【００８８】
このように携帯型再生装置１００は、回転操作部１０２が基準位置に戻されることにより、音声検索モードから通常再生モードに移ると、移る直前に選択していたイニシャル、アーティスト名、サビ部分に対応する音楽データを再生するようになっている。
【００８９】
こうすることで携帯型再生装置１００は、音声検索モードでのイニシャル検索、アーティスト名検索、サビ検索により所望の音楽データを見付けたユーザに対して、直ちにその音楽データに基づく曲を聴かせることができる。
【００９０】
（１−２−３）音声検索モード時の再生制御
次に、上述した音声検索モード時の、各種音声データ（音楽データのサビ部分、イニシャル音声データ、アーティスト名音声データ、アルバムタイトル音声データ、効果音データ）の再生制御について、詳しく説明する。
【００９１】
尚、この再生制御は、主として、携帯型再生装置１００の選択部１１４と再生部１１５とが協働して行う制御である。またここでは、イニシャル音声データ、アーティスト名音声データ及びアルバムタイトル音声データをまとめてアナウンス音声データとも呼ぶ。
【００９２】
携帯型再生装置１００の再生部１１５は、上述したように、回転操作部１０２が操作されると、音声検索モードに移行して、各種音声データを再生するようになっている。このとき携帯型再生装置１００の再生部１１５は、回転操作部１０２の回転量に応じて、検索モード（サビ検索モード、アーティスト検索モード、イニシャル検索モード）、各種音声データの再生時間、再生間隔、再生音量を変化させるようになっている。
【００９３】
ここでまず携帯型再生装置１００にセットされている、検索モード、各種音声データの再生時間、再生間隔、再生音量を変化させる為の設定値から説明する。
【００９４】
具体的に、携帯型再生装置１００には、図５に示すように、回転操作部１０２の回転量（すなわち上述したパラメータ）に応じて検索モード、各種音声データの再生時間、再生間隔、再生音量を変化させる為の設定値が、記憶部１１２に記憶されている。
【００９５】
この設定値の１つとして、現在の検索モードを示す設定値（これをｓｅａｒｃｈ＿ｓｔａｔｕｓとも呼ぶ）がある。
【００９６】
このｓｅａｒｃｈ＿ｓｔａｔｕｓには、パラメータ出力部１１３から出力されるパラメータ「１」〜「９」に対応する値として、サビ検索モードを示す値「１」が設定されている。
【００９７】
またこのｓｅａｒｃｈ＿ｓｔａｔｕｓには、パラメータ出力部１１３から出力されるパラメータ「１０」〜「１２」に対応する値として、アーティスト検索モードを示す値「２」が設定されている。
【００９８】
さらにこのｓｅａｒｃｈ＿ｓｔａｔｕｓには、パラメータ出力部１１３から出力されるパラメータ「１３」に対応する値として、イニシャル検索モードを示す値「２」が設定されている。
【００９９】
つまり携帯型再生装置１００は、このｓｅａｒｃｈ＿ｓｔａｔｕｓに応じて、現在の検索モードを切り替えるようになっている。
【０１００】
また設定値の１つとして、サビ検索モードでのサビ部分の再生時間、アーティスト検索モード及びイニシャル検索モードでの効果音データの再生間隔を示す設定値（これをｓｅａｒｃｈ＿ｐｌａｙ＿ｔｉｍｅとも呼ぶ）がある。
【０１０１】
このｓｅａｒｃｈ＿ｐｌａｙ＿ｔｉｍｅは、パラメータ出力部１１３から出力されるパラメータ「１」〜「９」に対応する値と、パラメータ「１０」〜「１２」に対応する値と、パラメータ「１３」に対応する値とで、その意味が異なっている。
【０１０２】
すなわちこのｓｅａｒｃｈ＿ｐｌａｙ＿ｔｉｍｅには、パラメータ出力部１１３から出力されるパラメータ「１」〜「９」に対応する値として、サビ検索モードでのサビ部分の再生時間を示す値が設定されている。この値は、パラメータが「１」〜「９」へと大きくなるにつれてサビ部分の再生時間が短くなるように設定されている。
【０１０３】
つまり携帯型再生装置１００は、サビ検索モード時、このｓｅａｒｃｈ＿ｐｌａｙ＿ｔｉｍｅに応じて、サビ部分の再生時間を変化させるようになっている。
【０１０４】
またこのｓｅａｒｃｈ＿ｐｌａｙ＿ｔｉｍｅには、パラメータ出力部１１３から出力されるパラメータ「１０」〜「１２」に対応する値として、アーティスト検索モードでの効果音データの再生間隔を示す値が設定されている。この値は、パラメータが「１０」〜「１２」へと大きくなるにつれて効果音データの再生間隔が短くなるように設定されている。
【０１０５】
携帯型再生装置１００は、アーティスト検索モード時、このｓｅａｒｃｈ＿ｐｌａｙ＿ｔｉｍｅに応じて、効果音データの再生間隔を変化させるようになっている。
【０１０６】
さらにこのｓｅａｒｃｈ＿ｐｌａｙ＿ｔｉｍｅには、パラメータ出力部１１３から出力されるパラメータ「１３」に対応する値として、イニシャル検索モードでの効果音データの再生間隔を示す値が設定されている。
【０１０７】
携帯型再生装置１００は、イニシャル検索モード時、このｓｅａｒｃｈ＿ｐｌａｙ＿ｔｉｍｅに応じて、効果音データの再生間隔を設定するようになっている。
【０１０８】
さらに設定値の１つとして、サビ検索モードでのサビ部分の再生間隔、アーティスト検索モード及びイニシャル検索モードでのアナウンス音声データの再生間隔を示す設定値（これをｓｅａｒｃｈ＿ｆａｄｅ＿ｓｔａｒｔ＿ｔｉｍｅとも呼ぶ）がある。
【０１０９】
このｓｅａｒｃｈ＿ｆａｄｅ＿ｓｔａｒｔ＿ｔｉｍｅも、パラメータ出力部１１３から出力されるパラメータ「１」〜「９」に対応する値と、パラメータ「１０」〜「１２」に対応する値と、パラメータ「１３」に対応する値とで、その意味が異なっている。
【０１１０】
すなわちこのｓｅａｒｃｈ＿ｆａｄｅ＿ｓｔａｒｔ＿ｔｉｍｅには、パラメータ出力部１１３から出力されるパラメータ「１」〜「９」に対応する値として、サビ検索モードでのサビ部分の再生間隔を示す値が設定されている。この値は、パラメータが「１」〜「９」へと大きくなるにつれてサビ部分の再生間隔が短くなるように設定されている。
【０１１１】
つまり携帯型再生装置１００は、サビ検索モード時、このｓｅａｒｃｈ＿ｆａｄｅ＿ｓｔａｒｔ＿ｔｉｍｅに応じて、サビ部分の再生間隔を変化させるようになっている。
【０１１２】
またこのｓｅａｒｃｈ＿ｆａｄｅ＿ｓｔａｒｔ＿ｔｉｍｅには、パラメータ出力部１１３から出力されるパラメータ「１０」〜「１２」に対応する値として、アーティスト検索モードでのアナウンス音声データの再生間隔を示す値が設定されている。この値は、パラメータが「１０」〜「１２」へと大きくなるにつれてアナウンス音声データの再生間隔が短くなるように設定されている。
【０１１３】
つまり携帯型再生装置１００は、アーティスト検索モード時、このｓｅａｒｃｈ＿ｆａｄｅ＿ｓｔａｒｔ＿ｔｉｍｅに応じて、アナウンス音声データの再生間隔を変化させるようになっている。
【０１１４】
さらにこのｓｅａｒｃｈ＿ｆａｄｅ＿ｓｔａｒｔ＿ｔｉｍｅには、パラメータ出力部１１３から出力されるパラメータ「１３」に対応する値として、イニシャル検索モードでのアナウンス音声データの再生間隔を示す値が設定されている。
【０１１５】
携帯型再生装置１００は、イニシャル検索モード時、このｓｅａｒｃｈ＿ｆａｄｅ＿ｓｔａｒｔ＿ｔｉｍｅに応じて、アナウンス音声データの再生間隔を設定するようになっている。
【０１１６】
さらに設定値の１つとして、サビ検索モードでのサビ部分の再生を開始するときのフェードイン時間を示す設定値（これをｓｅａｒｃｈ＿ｆａｄｅ＿ｉｎとも呼ぶ）がある。
【０１１７】
このｓｅａｒｃｈ＿ｆａｄｅ＿ｉｎは、パラメータ出力部１１３から出力されるパラメータが「１」〜「９」のときだけ（つまりサビ検索モードのときだけ）有効となる設定値である。
【０１１８】
すなわちこのｓｅａｒｃｈ＿ｆａｄｅ＿ｉｎには、パラメータ出力部１１３から出力されるパラメータ「１」〜「９」に対応する値として、サビ検索モードでのフェードイン時間を示す値が設定されている。この値は、パラメータが「１」〜「９」へと大きくなるにつれてフェードイン時間が短くなるように設定されている。
【０１１９】
つまり携帯型再生装置１００は、サビ検索モード時、このｓｅａｒｃｈ＿ｆａｄｅ＿ｉｎに応じて、フェードイン時間を変化させるようになっている。
【０１２０】
さらに設定値の１つとして、サビ検索モードでのサビ部分の再生を終了するときのフェードアウト時間を示す設定値（これをｓｅａｒｃｈ＿ｆａｄｅ＿ｏｕｔとも呼ぶ）がある。
【０１２１】
このｓｅａｒｃｈ＿ｆａｄｅ＿ｏｕｔは、パラメータ出力部１１３から出力されるパラメータが「１」〜「９」のときだけ（つまりサビ検索モードのときだけ）有効となる設定値である。
【０１２２】
すなわちこのｓｅａｒｃｈ＿ｆａｄｅ＿ｏｕｔには、パラメータ出力部１１３から出力されるパラメータ「１」〜「９」に対応する値として、サビ検索モードでのフェードアウト時間を示す値が設定されている。この値は、パラメータが「１」〜「９」へと大きくなるにつれてフェードアウト時間が短くなるように設定されている。
【０１２３】
つまり携帯型再生装置１００は、サビ検索モード時、このｓｅａｒｃｈ＿ｆａｄｅ＿ｏｕｔに応じて、フェードアウト時間を変化させるようになっている。
【０１２４】
さらに設定値の１つとして、サビ検索モードでのサビ部分の再生音量を調整する為の設定値（これをｓｅａｒｃｈ＿ｔｒａｃｋ＿ｖｏｌｕｍｅとも呼ぶ）がある。尚、このｓｅａｒｃｈ＿ｔｒａｃｋ＿ｖｏｌｕｍｅは、トラック（サビ部分）の再生音量そのものを示す設定値ではなく、別途指定される再生音量を調整する為の設定値である。
【０１２５】
尚、このｓｅａｒｃｈ＿ｔｒａｃｋ＿ｖｏｌｕｍｅは、パラメータ出力部１１３から出力されるパラメータが「１」〜「９」のときだけ（つまりサビ検索モードのときだけ）有効となる設定値である。
【０１２６】
すなわちこのｓｅａｒｃｈ＿ｔｒａｃｋ＿ｖｏｌｕｍｅには、パラメータ出力部１１３から出力されるパラメータ「１」〜「９」に対応する値として、サビ検索モードでのサビ部分の再生音量を調整する為の値が設定されている。この値は、パラメータが「１」〜「９」へと大きくなるにつれて再生音量が小さくなるように設定されている。
【０１２７】
つまり携帯型再生装置１００は、サビ検索モード時、このｓｅａｒｃｈ＿ｔｒａｃｋ＿ｖｏｌｕｍｅに応じて、サビ部分の再生音量を変化させるようになっている。
【０１２８】
さらに設定値の１つとして、サビ検索モードでの効果音データ（後述するｓｅａｒｃｈ＿ｆｘ）の再生音量を調整する為の設定値（これをｓｅａｒｃｈ＿ｆｘ＿ｖｏｌｕｍｅとも呼ぶ）がある。このｓｅａｒｃｈ＿ｆｘ＿ｖｏｌｕｍｅも、効果音データの再生音量そのものを示す設定値ではなく、別途指定される再生音量を調整する為の設定値である。
【０１２９】
尚、このｓｅａｒｃｈ＿ｆｘ＿ｖｏｌｕｍｅは、パラメータ出力部１１３から出力されるパラメータが「１」〜「９」のときだけ（つまりサビ検索モードのときだけ）有効となる設定値である。
【０１３０】
すなわちこのｓｅａｒｃｈ＿ｆｘ＿ｖｏｌｕｍｅには、パラメータ出力部１１３から出力されるパラメータ「１」〜「９」に対応する値として、サビ検索モードでの効果音データの再生音量を調整する為の値が設定されている。この値は、パラメータが「１」〜「９」へと大きくなるにつれて再生音量が大きくなるように設定されている。
【０１３１】
つまり携帯型再生装置１００は、サビ検索モード時、このｓｅａｒｃｈ＿ｆｘ＿ｖｏｌｕｍｅに応じて、効果音データの再生音量を変化させるようになっている。
【０１３２】
このような設定値に基づいて、携帯型再生装置１００は、音声検索モード時に、検索モード、各種音声データの再生時間、再生間隔、再生音量を変化させる。
【０１３３】
次に上述したサビ部分の再生時間と、サビ部分の再生間隔と、フェードイン時間とフェードアウト時間との関係について、図７に示すタイミングチャートを用いて説明する。
【０１３４】
すなわち携帯型再生装置１００の再生部１１５が、サビ検索モード時に、或る時点ｔ１から、或るトラック（音楽データ）のサビ部分の再生を開始したとする。すると再生部１１５は、この時点ｔ１から時点ｔ２までの間、サビ部分の再生音量を０からｓｅａｒｃｈ＿ｔｒａｃｋ＿ｖｏｌｕｍｅで指定される値まで大きくすることでフェードイン処理を行う。
【０１３５】
このときの時点ｔ１から時点ｔ２までの時間をフェードイン時間とする。つまりこのフェードイン時間が、ｓｅａｒｃｈ＿ｆａｄｅ＿ｉｎにより指定されるようになっている。
【０１３６】
その後、再生部１１５は、時点ｔ２から時点ｔ３まで再生音量を変えずにサビ部分の再生を継続する。そして再生部１１５は、時点ｔ３から時点ｔ４までの間、サビ部分の再生音量をｓｅａｒｃｈ＿ｔｒａｃｋ＿ｖｏｌｕｍｅで指定される値から０まで小さくすることでフェードアウト処理を行って、時点ｔ４でこのトラックのサビ部分の再生を終了する。
【０１３７】
また再生部１１５は、時点ｔ３から或る時間Ｔ１経過した時点ｔ５から、次のトラックのサビ部分の再生を開始する。
【０１３８】
このときの時点ｔ１から時点ｔ３までの時間をサビ部分の再生時間とする。つまりこの再生時間が、ｓｅａｒｃｈ＿ｐｌａｙ＿ｔｉｍｅにより指定されるようになっている。
【０１３９】
またこのときの時点ｔ３から時点ｔ４までの時間をフェードアウト時間とする。つまりこのフェードアウト時間が、ｓｅａｒｃｈ＿ｆａｄｅ＿ｏｕｔにより指定されるようになっている。
【０１４０】
さらにこのときの時点ｔ３から時点ｔ５までの時間Ｔ１、つまりサビ部分のフェードアウト処理を開始してから次のサビ部分のフェードイン処理を開始するまでの時間Ｔ１をサビ部分の再生間隔とする。つまりこの再生間隔が、ｓｅａｒｃｈ＿ｆａｄｅ＿ｓｔａｒｔ＿ｔｉｍｅにより指定されるようになっている。
【０１４１】
尚、ｓｅａｒｃｈ＿ｆａｄｅ＿ｏｕｔよりもｓｅａｒｃｈ＿ｆａｄｅ＿ｓｔａｒｔ＿ｔｉｍｅの方が短い場合、時点ｔ５〜時点ｔ４までのように、或るトラックのサビ部分のフェードアウト処理と、次のトラックのサビ部分のフェードイン処理とが重なることになる。この場合、再生部１１５は、クロスフェード処理を行う。
【０１４２】
ここまでの説明を踏まえて、検索モード、各種音声データの再生時間、再生間隔、再生音量がどのように変化するのかについて、図８〜図１９に示すタイミングチャートを用いて、具体的な例を挙げながら詳しく説明する。
【０１４３】
図８に示すように、携帯型再生装置１００の再生部１１５が、選択部１１４に選択された或るトラック（例えばＴｒａｃｋ．０２）を通常再生中であるとする。ここで、時点ｔ１０において、回転操作部１０２がユーザにより基準位置から回転量５０％の位置まで回転されたとする。
【０１４４】
このときパラメータ出力部１１３から出力されるパラメータが「０」から「７」に変わることにより、選択部１１４及び再生部１１５は、回転操作部１０２の回転を検知する。すると再生部１１５は、回転操作部１０２の回転を検知したことを通知する為の効果音データ（これをｓｅａｒｃｈ  ｃｔｒｌとも呼ぶ）を、現在再生中のＴｒａｃｋ．０２にミキシングして再生する。尚、図中で上下に重なる部分がミキシング再生される部分である。
【０１４５】
このように携帯型再生装置１００は、ｓｅａｒｃｈ  ｃｔｒｌを再生することで、回転操作部１０２の回転を検知したことをユーザに認識させることができる。
【０１４６】
選択部１１４は、時点ｔ１０から時点ｔ１１まで待機する。この間、再生部１１５は、Ｔｒａｃｋ．０２の再生を継続する。
【０１４７】
この時点ｔ１０から時点ｔ１１までの待機時間は、ユーザが音声検索モードを利用する為に回転操作部１０２を回転操作しているのかどうかを判別する為に設けられた時間である。尚、この待機時間は、記憶部１１２に記憶された設定値の１つである、ｓｅａｒｃｈ＿ｄｌｙにより指定されるようになっている。このｓｅａｒｃｈ＿ｄｌｙは、パラメータに依らず一定の値であるとする。
【０１４８】
すなわち選択部１１４及び再生部１１５は、この待機時間内に、パラメータが再び「０」に戻った場合、ユーザが音声検索モードを利用する為に回転操作部１０２を回転操作しているのではないと判別して、回転操作を受け付けずに、通常再生モードのまま動作する。
【０１４９】
これに対して、この待機時間中、パラメータが「１」以上であった場合、選択部１１４及び再生部１１５は、ユーザが音声検索モードを利用する為に回転操作部１０２を回転操作していると判別して、時点ｔ１１で回転操作を受け付ける。そしてこのとき選択部１１４及び再生部１１５は、音声検索モードに切り替わる。
【０１５０】
尚、このときのパラメータが「７」であるとすると、選択部１１４及び再生部１１５は、対応するｓｅａｒｃｈ＿ｓｔａｔｕｓがサビ検索モードを示す値「１」であることにより、音声検索モードのサビ検索モードになる。
【０１５１】
再生部１１５は、音声検索モードに切り替わると、音声検索モードに切り替わったことを通知する為の効果音データ（これをｓｅａｒｃｈ  ｉｎとも呼ぶ）を、現在再生中のＴｒａｃｋ．０２にミキシングして再生する。
【０１５２】
このように携帯型再生装置１００は、ｓｅａｒｃｈ  ｉｎを再生することで、音声検索モードに切り替わったことをユーザに認識させることができる。
【０１５３】
また再生部１１５は、ｓｅａｒｃｈ  ｉｎを再生しつつ、時点ｔ１１から設定された時間Ｔ２経過した時点ｔ１２までの間で、Ｔｒａｃｋ．０２のフェードアウト処理を行って、時点ｔ１２でＴｒａｃｋ．０２の再生を終了する。尚、このときの時間（フェードアウト時間）Ｔ２は、記憶部１１２に記憶された設定値の１つであるｆａｄｅ＿ｏｕｔにより指定されるようになっている。このｆａｄｅ＿ｏｕｔは、パラメータに依らず一定の値であるとする。
【０１５４】
選択部１１４は、時点ｔ１１から設定された時間Ｔ３経過する時点ｔ１３までの間で、次の音楽データ（例えばＴｒａｃｋ．０３）を選択する。すると再生部１１５は、時点ｔ１３から、選択部１１４により選択されたＴｒａｃｋ．０３のサビ部分の再生を開始する。尚、このときの時間Ｔ３は、記憶部１１２に記憶された設定値の１つであるｆａｄｅ＿ｓｔａｒｔにより指定されるようになっている。このｆａｄｅ＿ｓｔａｒｔは、パラメータに依らず一定の値であるとする。
【０１５５】
そして再生部１１５は、この時点ｔ１３からｓｅａｒｃｈ＿ｆａｄｅ＿ｉｎにより指定される時点ｔ１４までの間、このサビ部分の再生音量を０からｓｅａｒｃｈ＿ｔｒａｃｋ＿ｖｏｌｕｍｅが示す値まで大きくすることでフェードイン処理を行う。このときのｓｅａｒｃｈ＿ｆａｄｅ＿ｉｎ及びｓｅａｒｃｈ＿ｔｒａｃｋ＿ｖｏｌｕｍｅは、このときパラメータ出力部１１３から出力されているパラメータ（この場合「７」）に対応する値である。
【０１５６】
その後、再生部１１５は、時点ｔ１４からｓｅａｒｃｈ＿ｐｌａｙ＿ｔｉｍｅにより指定される時点ｔ１５まで再生音量を変えずにＴｒａｃｋ．０３のサビ部分の再生を継続する。このときのｓｅａｒｃｈ＿ｐｌａｙ＿ｔｉｍｅも、このときパラメータ出力部１１３から出力されているパラメータ（この場合「７」）に対応する値である。
【０１５７】
時点ｔ１５になると、再生部１１５は、トラックの切り替わりを通知する為の効果音データ（これをｓｅａｒｃｈ  ｆｘとも呼ぶ）を現在サビ再生中のＴｒａｃｋ．０３にミキシングして再生する。尚、このとき再生部１１５は、ｓｅａｒｃｈ＿ｆｘ＿ｖｏｌｕｍｅにより指定される再生音量でｓｅａｒｃｈ  ｆｘを再生するようになっている。このときのｓｅａｒｃｈ＿ｆｘ＿ｖｏｌｕｍｅも、このときパラメータ出力部１１３から出力されているパラメータ（この場合「７」）に対応する値である。
【０１５８】
また再生部１１５は、ｓｅａｒｃｈ  ｆｘを再生しつつ、時点ｔ１５からｓｅａｒｃｈ＿ｆａｄｅ＿ｏｕｔにより指定される時点ｔ１６までの間、Ｔｒａｃｋ．０３のサビ部分の再生音量を０まで小さくすることでフェードアウト処理を行う。そして再生部１１５は、時点ｔ１６でＴｒａｃｋ．０３のサビ部分の再生を終了する。このときのｓｅａｒｃｈ＿ｆａｄｅ＿ｏｕｔも、このときパラメータ出力部１１３から出力されているパラメータ（この場合「７」）に対応する値である。
【０１５９】
選択部１１４は、時点ｔ１５からｓｅａｒｃｈ＿ｆａｄｅ＿ｓｔａｒｔ＿ｔｉｍｅにより指定される時点ｔ１７までの間で、次の音楽データ（例えばＴｒａｃｋ．０４）を選択する。すると再生部１１５は、時点ｔ１７から、選択部１１４により選択されたＴｒａｃｋ．０４のサビ部分の再生を開始する。このときのｓｅａｒｃｈ＿ｆａｄｅ＿ｓｔａｒｔ＿ｔｉｍｅも、このときパラメータ出力部１１３から出力されているパラメータ（この場合「７」）に対応する値である。
【０１６０】
尚、ここではｓｅａｒｃｈ＿ｆａｄｅ＿ｏｕｔよりｓｅａｒｃｈ＿ｆａｄｅ＿ｓｔａｒｔ＿ｔｉｍｅが短く設定されている為、再生部１１５は、時点ｔ１７〜時点ｔ１６までの間で、クロスフェード処理を行う。
【０１６１】
このように携帯型再生装置１００は、サビ検索モードになると、選択するトラックを順に切り替えながら、トラックのサビ部分を順に再生していく。
【０１６２】
また携帯型再生装置１００は、或るトラックのサビ部分の再生と、次のトラックのサビ部分の再生との間に、トラックの切り替わりを通知する為のｓｅａｒｃｈ  ｆｘを再生する。
【０１６３】
こうすることで、携帯型再生装置１００は、トラックの切り替わりをユーザに認識させながらそのサビ部分を順次聴かせることができ、これによりユーザに所望の曲を容易に検索させることができる。
【０１６４】
ところで、図９に示すように、時点ｔ１４〜時点ｔ１５の間、つまりＴｒａｃｋ．０３のサビ部分を再生している途中の時点ｔ２０で、ユーザにより回転操作部１０２が回転量約５０％の位置から約７０％の位置まで回転させられたとする。
【０１６５】
このときパラメータ出力部１１３から出力されるパラメータが「７」から「９」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在サビ再生中のＴｒａｃｋ．０３にミキシングして再生する。
【０１６６】
選択部１１４は、時点ｔ２０からｓｅａｒｃｈ＿ｄｌｙにより指定される時点ｔ２１まで待機する。この間、再生部１１５は、Ｔｒａｃｋ．０３のサビ再生を継続する。
【０１６７】
そして選択部１１４及び再生部１１５は、時点ｔ２０から時点ｔ２１までの間、パラメータが「１」以上であることにより、ユーザが音声検索モードを利用する為に回転操作部１０２を回転操作していると判別すると、時点ｔ２１で回転操作を受け付ける。
【０１６８】
このときのパラメータが「９」であるとすると、選択部１１４及び再生部１１５は、対応するｓｅａｒｃｈ＿ｓｔａｔｕｓがサビ検索モードを示す値「１」であることにより、引き続きサビ検索モードで動作する。この場合、パラメータが「７」のときと比べて、サビ部分の再生時間、再生間隔、フェードイン時間及びフェードアウト時間が短くなり、サビ部分の再生音量が小さくなる代わりに効果音データの再生音量が大きくなるよう制御される。
【０１６９】
再生部１１５は、時点ｔ２１において、トラックの切り替わりを通知する為の効果音データ（ｓｅａｒｃｈ  ｆｘ）を現在サビ生中のＴｒａｃｋ．０３にミキシングして再生する。尚、このとき再生部１１５は、ｓｅａｒｃｈ＿ｆｘ＿ｖｏｌｕｍｅにより指定される再生音量でｓｅａｒｃｈ  ｆｘを再生するようになっている。このときのｓｅａｒｃｈ＿ｆｘ＿ｖｏｌｕｍｅは、このときパラメータ出力部１１３から出力されているパラメータ（この場合「９」）に対応する値である。
【０１７０】
また再生部１１５は、ｓｅａｒｃｈ  ｆｘを再生しつつ、時点ｔ２１からｓｅａｒｃｈ＿ｆａｄｅ＿ｏｕｔにより指定される時点ｔ２３までの間、Ｔｒａｃｋ．０３のサビ部分の再生音量を０まで小さくすることでフェードアウト処理を行う。そして再生部１１５は、時点ｔ２３でＴｒａｃｋ．０３のサビ部分の再生を終了する。このときのｓｅａｒｃｈ＿ｆａｄｅ＿ｏｕｔも、このときパラメータ出力部１１３から出力されているパラメータ（この場合「９」）に対応する値である。
【０１７１】
選択部１１４は、時点ｔ２１からｓｅａｒｃｈ＿ｆａｄｅ＿ｓｔａｒｔ＿ｔｉｍｅにより指定される時点ｔ２２までの間で、次のトラック（例えばＴｒａｃｋ．０４）を選択する。すると再生部１１５は、時点ｔ２２から、選択部１１４により選択されたＴｒａｃｋ．０４のサビ部分の再生を開始する。このときのｓｅａｒｃｈ＿ｆａｄｅ＿ｓｔａｒｔ＿ｔｉｍｅも、このときパラメータ出力部１１３から出力されているパラメータ（この場合「９」）に対応する値である。
【０１７２】
そして再生部１１５は、この時点ｔ２２からｓｅａｒｃｈ＿ｆａｄｅ＿ｉｎにより指定される時点ｔ２４までの間、このサビ部分の再生音量を０からｓｅａｒｃｈ＿ｔｒａｃｋ＿ｖｏｌｕｍｅの値まで大きくすることでフェードイン処理を行う。このときのｓｅａｒｃｈ＿ｆａｄｅ＿ｉｎ及びｓｅａｒｃｈ＿ｔｒａｃｋ＿ｖｏｌｕｍｅは、このときパラメータ出力部１１３から出力されているパラメータ（この場合「９」）に対応する値である。
【０１７３】
その後、再生部１１５は、時点ｔ２４からｓｅａｒｃｈ＿ｐｌａｙ＿ｔｉｍｅにより指定される時点ｔ２５まで再生音量を変えずにＴｒａｃｋ．０４のサビ部分の再生を継続する。このときのｓｅａｒｃｈ＿ｐｌａｙ＿ｔｉｍｅも、このときパラメータ出力部１１３から出力されているパラメータ（この場合「９」）に対応する値である。
【０１７４】
時点ｔ２５になると、再生部１１５は、トラックの切り替わりを通知する為の効果音データ（ｓｅａｒｃｈ  ｆｘ）を、現在サビ再生中のＴｒａｃｋ．０４にミキシングして再生する。尚、このとき再生部１１５は、ｓｅａｒｃｈ＿ｆｘ＿ｖｏｌｕｍｅにより指定される再生音量でｓｅａｒｃｈ  ｆｘを再生するようになっている。このときのｓｅａｒｃｈ＿ｆｘ＿ｖｏｌｕｍｅも、このときパラメータ出力部１１３から出力されているパラメータ（この場合「９」）に対応する値である。
【０１７５】
また再生部１１５は、ｓｅａｒｃｈ  ｆｘを再生しつつ、時点ｔ２５からｓｅａｒｃｈ＿ｆａｄｅ＿ｏｕｔにより指定される時点ｔ２６までの間、Ｔｒａｃｋ．０４のサビ部分の再生音量を０まで小さくすることでフェードアウト処理を行う。そして再生部１１５は、時点ｔ２６でＴｒａｃｋ．０４のサビ部分の再生を終了する。このときのｓｅａｒｃｈ＿ｆａｄｅ＿ｏｕｔも、このときパラメータ出力部１１３から出力されているパラメータ（この場合「９」）に対応する値である。
【０１７６】
選択部１１４は、時点ｔ２５からｓｅａｒｃｈ＿ｆａｄｅ＿ｓｔａｒｔ＿ｔｉｍｅにより指定される時点ｔ２７までの間で、次の音楽データ（例えばＴｒａｃｋ．０５）を選択する。すると再生部１１５は、時点ｔ２７から、選択部１１４により選択されたＴｒａｃｋ．０５のサビ部分の再生を開始する。このときのｓｅａｒｃｈ＿ｆａｄｅ＿ｓｔａｒｔ＿ｔｉｍｅも、このときパラメータ出力部１１３から出力されているパラメータ（この場合「９」）に対応する値である。
【０１７７】
尚、ここではｓｅａｒｃｈ＿ｆａｄｅ＿ｏｕｔよりｓｅａｒｃｈ＿ｆａｄｅ＿ｓｔａｒｔ＿ｔｉｍｅが短く設定されている為、再生部１１５は、時点ｔ２７〜時点ｔ２６までの間で、クロスフェード処理を行う。
【０１７８】
また図１０に示すように、時点ｔ１４〜時点ｔ１５の間、つまりＴｒａｃｋ．０３のサビ部分を再生している途中の時点ｔ３０で、ユーザにより回転操作部１０２が回転量約５０％の位置から約４０％の位置まで戻されたとする。
【０１７９】
このときパラメータ出力部１１３から出力されるパラメータが「７」から「５」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在サビ再生中のＴｒａｃｋ．０３にミキシングして再生する。
【０１８０】
選択部１１４は、時点ｔ３０からｓｅａｒｃｈ＿ｄｌｙにより指定される時点ｔ３１まで待機する。この間、再生部１１５は、Ｔｒａｃｋ．０３のサビ再生を継続する。
【０１８１】
そして選択部１１４及び再生部１１５は、時点ｔ３０から時点ｔ３１までの間、パラメータが「１」以上であることにより、ユーザが音声検索モードを利用する為に回転操作部１０２を回転操作していると判別すると、時点ｔ３１で回転操作を受け付ける。
【０１８２】
このときのパラメータが「５」であるとすると、選択部１１４及び再生部１１５は、対応するｓｅａｒｃｈ＿ｓｔａｔｕｓがサビ検索モードを示す値「１」であることにより、引き続きサビ検索モードで動作する。この場合、パラメータが「７」のときと比べて、サビ部分の再生時間、再生間隔、フェードイン時間及びフェードアウト時間が長くなり、サビ部分の再生音量が大きくなる代わりに効果音データの再生音量が小さくなるよう制御される。
【０１８３】
すると再生部１１５は、時点ｔ３１からこのときのパラメータ（この場合「５」）に対応するｓｅａｒｃｈ＿ｐｌａｙ＿ｔｉｍｅにより指定される時点ｔ３２までＴｒａｃｋ．０３のサビ部分の再生を延長する。
【０１８４】
時点ｔ３２になると、再生部１１５は、トラックの切り替わりを通知する為の効果音データ（ｓｅａｒｃｈ  ｆｘ）を、現在サビ再生中のＴｒａｃｋ．０３にミキシングして再生する。
【０１８５】
また再生部１１５は、ｓｅａｒｃｈ  ｆｘを再生しつつ、時点ｔ３２からｓｅａｒｃｈ＿ｆａｄｅ＿ｏｕｔにより指定される時点ｔ３３までの間、Ｔｒａｃｋ．０３のサビ部分の再生音量を０まで小さくすることでフェードアウト処理を行う。そして再生部１１５は、時点ｔ３３でＴｒａｃｋ．０３のサビ部分の再生を終了する。このときのｓｅａｒｃｈ＿ｆａｄｅ＿ｏｕｔも、このときパラメータ出力部１１３から出力されているパラメータ（この場合「５」）に対応する値である。
【０１８６】
選択部１１４は、時点ｔ３２からｓｅａｒｃｈ＿ｆａｄｅ＿ｓｔａｒｔ＿ｔｉｍｅにより指定される時点ｔ３４までの間で、次のトラック（例えばＴｒａｃｋ．０４）を選択する。すると再生部１１５は、時点ｔ３４から、選択部１１４により選択されたＴｒａｃｋ．０４のサビ部分の再生を開始する。このときのｓｅａｒｃｈ＿ｆａｄｅ＿ｓｔａｒｔ＿ｔｉｍｅも、このときパラメータ出力部１１３から出力されているパラメータ（この場合「５」）に対応する値である。
【０１８７】
上述したように携帯型再生装置１００は、サビ検索モード時、回転操作部１０２が回転操作されると、その回転量に応じて、サビ部分の再生時間、再生間隔、フェードイン時間及びフェードアウト時間を変化させる。
【０１８８】
すなわち携帯型再生装置１００は、サビ検索モード時、回転操作部１０２の回転量が多くなるほどトラック（サビ部分）の再生時間及び次のトラック（サビ部分）に切り替わるまでの時間を短くする一方で、回転量が少なくなるほどこれらの時間を長くする。
【０１８９】
換言すると、携帯型再生装置１００は、回転操作部１０２の回転量が多くなるほどトラックの切り替えを速く、回転量が少なくなるほどトラックの切り替えを遅くする。
【０１９０】
こうすることで携帯型再生装置１００は、サビ検索モード時、回転操作部１０２の回転量が多くなるほど迅速な検索、回転量が少なくなるほどゆっくりとした検索をユーザに行わせることができ、かくしてより直感的な検索操作をユーザに提供することができる。
【０１９１】
また図１１に示すように、時点ｔ１４〜時点ｔ１５の間、つまりＴｒａｃｋ．０３のサビ部分を再生している途中の時点ｔ４０で、ユーザにより回転操作部１０２が回転量約５０％の位置から基準位置まで戻されたとする。
【０１９２】
このときパラメータ出力部１１３から出力されるパラメータが「７」から「０」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在サビ再生中のＴｒａｃｋ．０３にミキシングして再生する。
【０１９３】
選択部１１４は、時点ｔ４０からｓｅａｒｃｈ＿ｄｌｙにより指定される時点ｔ４１まで待機する。この間、再生部１１５は、Ｔｒａｃｋ．０３のサビ再生を継続する。
【０１９４】
そして選択部１１４及び再生部１１５は、時点ｔ４１で、パラメータが「０」であることにより、ユーザが通常再生モードを利用する為に回転操作部１０２を回転操作していると判別すると、時点ｔ４１で回転操作を受け付ける。そして選択部１１４及び再生部１１５は、サビ検索モードから通常再生モードに移る。
【０１９５】
再生部１１５は、通常再生モードに切り替わると、通常検索モードに切り替わったことを通知する為の効果音データ（これをｓｅａｒｃｈ  ｏｕｔとも呼ぶ）を再生する。
【０１９６】
このように携帯型再生装置１００は、ｓｅａｒｃｈ  ｏｕｔを再生することで、通常再生モードに切り替わったこと（つまり音声検索モードを抜けたこと）をユーザに認識させることができる。
【０１９７】
さらに再生部１１５は、時点ｔ４１から、ｓｅａｒｃｈ  ｏｕｔを再生しつつ、Ｔｒａｃｋ．０３の通常再生を開始する。この場合、再生部１１５は、時点ｔ４１まで再生されていたサビ部分に続く部分を再生していく。
【０１９８】
尚、ｓｅａｒｃｈ  ｏｕｔの再生と、Ｔｒａｃｋ．０３の通常再生とが重なる区間では、一時的に、Ｔｒａｃｋ．０３の再生音量が抑えられるようになっている。
【０１９９】
尚、このときｓｅａｒｃｈ  ｏｕｔの再生が開始されると、Ｔｒａｃｋ．０３の再生音量は、フェードアウトしながら抑えられ、ｓｅａｒｃｈ  ｏｕｔの再生が終了するとフェードインしながら徐々に１００％に戻されるようになっている。
【０２００】
このように携帯型再生装置１００は、サビ検索モードから通常再生モードに移ると、サビ検索モードでサビ再生していたトラックを通常再生する。
【０２０１】
こうすることで、携帯型再生装置１００は、ユーザを、所望のトラックの検索から、所望のトラックの聴取へと、スムーズに移行させることができる。
【０２０２】
さらに図１２に示すように、サビ検索モードでアーティスト名「Ａａ＊＊」に区分されているＴｒａｃｋ．１０のサビ部分が再生されている途中の時点ｔ５０で、ユーザにより回転操作部１０２が回転量約９０％の位置まで回転させられたとする。
【０２０３】
このときパラメータ出力部１１３から出力されるパラメータが「１２」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在サビ再生中のＴｒａｃｋ．１０にミキシングして再生する。
【０２０４】
選択部１１４は、時点ｔ５０からｓｅａｒｃｈ＿ｄｌｙにより指定される時点ｔ５１まで待機する。この間、再生部１１５は、Ｔｒａｃｋ．１０のサビ再生を継続する。
【０２０５】
そして選択部１１４及び再生部１１５は、時点ｔ５０から時点ｔ５１までの間、パラメータが「１」以上であることにより、ユーザが音声検索モードを利用する為に回転操作部１０２を回転操作していると判別すると、時点ｔ５１で回転操作を受け付ける。
【０２０６】
このときのパラメータが「１２」であるとすると、選択部１１４及び再生部１１５は、対応するｓｅａｒｃｈ＿ｓｔａｔｕｓがアーティスト検索モードを示す値「２」であることによりアーティスト検索モードで動作する。
【０２０７】
そして選択部１１４は、時点ｔ５１において、アーティスト名「Ａａ＊＊」の次のアーティスト名「Ａｆ＊＊」を選択する。すると再生部１１５は、時点ｔ５１から区分（この場合アーティスト名）の切り替わりを通知するための効果音データ（Ｅｆｆｅｃｔ１）と、選択部１１４により選択されたアーティスト名に対応するアーティスト名音声データ（Ｅｆｆｅｃｔ２）とを順に連続再生する。
【０２０８】
このように携帯型再生装置１００は、Ｅｆｆｅｃｔ１及びＥｆｆｅｃｔ２を順に再生することで、どのアーティスト名に切り替わったのかをユーザに認識させることができる。
【０２０９】
また再生部１１５は、時点ｔ５１から、トラックの切り替わりを通知する為のｓｅａｒｃｈ  ｆｘを、ｓｅａｒｃｈ＿ｐｌａｙ＿ｔｉｍｅにより指定される間隔で繰り返し再生していく。このときのｓｅａｒｃｈ＿ｐｌａｙ＿ｔｉｍｅは、このときパラメータ出力部１１３から出力されているパラメータ（この場合「１２」）に対応する値である。
【０２１０】
尚、アーティスト検索モードではトラックの切り替えを行わないので、このときのｓｅａｒｃｈ  ｆｘは、厳密にトラックの切り替わりを通知する為のものではなく、サビ検索モード時よりもトラックの切り替わりが速くなったことを通知する為のものである。従って、このときのｓｅａｒｃｈ  ｆｘの再生間隔は、サビ検索モード時の再生間隔よりも短くなるように設定されている。
【０２１１】
さらに再生部１１５は、時点ｔ５１からｓｅａｒｃｈ＿ｆａｄｅ＿ｏｕｔにより指定される時点ｔ５２までの間、Ｔｒａｃｋ．１０のサビ部分の再生音量を０まで小さくすることでフェードアウト処理を行う。そして再生部１１５は、時点ｔ５２でＴｒａｃｋ．１０のサビ部分の再生を終了する。尚、アーティスト検索モード時は、ｓｅａｒｃｈ＿ｆａｄｅ＿ｏｕｔが無効になる為、ここでは、例えば、アーティスト検索モードに切り替わる直前のサビ検索モード時のｓｅａｒｃｈ＿ｆａｄｅ＿ｏｕｔを利用する。
【０２１２】
このとき、再生部１１５は、Ｅｆｆｅｃｔ１及びＥｆｆｅｃｔ２と、ｓｅａｒｃｈ  ｆｘと、Ｔｒａｃｋ１０のサビ部分とをミキシングして再生する。
【０２１３】
その後、時点ｔ５３で再生部１１５によるＥｆｆｅｃｔ２の再生が終了すると、再生部１１４は、この時点ｔ５３からｓｅａｒｃｈ＿ｆａｄｅ＿ｓｔａｒｔ＿ｔｉｍｅにより指定される時点ｔ５４までの間で、次のアーティスト名「Ａｇ＊＊」を選択する。このときのｓｅａｒｃｈ＿ｆａｄｅ＿ｓｔａｒｔ＿ｔｉｍｅは、このときパラメータ出力部１１３から出力されているパラメータ（この場合「１２」）に対応する値である。
【０２１４】
尚、ｓｅａｒｃｈ＿ｆａｄｅ＿ｓｔａｒｔ＿ｔｉｍｅにより指定されるアーティスト名の切り替え間隔は、ｓｅａｒｃｈ  ｆｘにより表されるトラックの切り替え間隔よりも長く設定されている。
【０２１５】
再生部１１５は、時点ｔ５４からアーティスト名の切り替わりを通知するための効果音データ（Ｅｆｆｅｃｔ１）と、選択部１１４により選択されたアーティスト名に対応するアーティスト名音声データ（Ｅｆｆｅｃｔ２）とを順に連続再生する。
【０２１６】
このとき、再生部１１５は、Ｅｆｆｅｃｔ１及びＥｆｆｅｃｔ２と、ｓｅａｒｃｈ  ｆｘとをミキシングして再生するようになっている。
【０２１７】
このように携帯型再生装置１００は、アーティスト検索モードになると、選択するアーティスト名を順に切り替えながら、アーティスト名音声データを順に再生していく。
【０２１８】
こうすることで、携帯型再生装置１００は、ユーザに、選択中のアーティスト名を認識させながら所望のアーティスト名を容易に検索させることができる。
【０２１９】
また携帯型再生装置１００は、このアーティスト検索モード時、トラックの切り替え間隔を示す効果音データ（ｓｅａｒｃｈ  ｆｘ）をサビ検索モード時の再生間隔よりも短い間隔で繰り返し再生する。
【０２２０】
こうすることで、携帯型再生装置１００は、サビ検索モード時よりもトラックの切り替えが速くなったことをユーザに認識させながらアーティスト名を検索させることができる。
【０２２１】
さらに図１３に示すように、アーティスト検索モードでアーティスト名「Ａｇ＊＊」が選択され、ｓｅａｒｃｈ  ｆｘが再生されている途中の時点ｔ６０で、ユーザにより回転操作部１０２が回転量約９０％の位置から約４０％の位置まで戻されたとする。
【０２２２】
このときパラメータ出力部１１３から出力されるパラメータが「１２」から「５」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在再生中のｓｅａｒｃｈ  ｆｘにミキシングして再生する。
【０２２３】
選択部１１４は、時点ｔ６０からｓｅａｒｃｈ＿ｄｌｙにより指定される時点ｔ６１まで待機する。この間、再生部１１５は、ｓｅａｒｃｈ  ｆｘの再生を継続する。
【０２２４】
そして選択部１１４及び再生部１１５は、時点ｔ６０から時点ｔ６１までの間、パラメータが「１」以上であることにより、ユーザが音声検索モードを利用する為に回転操作部１０２を回転操作していると判別すると、時点ｔ６１で回転操作を受け付ける。
【０２２５】
このときのパラメータが「５」であるとすると、選択部１１４及び再生部１１５は、対応するｓｅａｒｃｈ＿ｓｔａｔｕｓがサビ検索モードを示す値「１」であることにより、アーティスト検索モードからサビ検索モードに移る。
【０２２６】
選択部１１４は、時点ｔ６１において、アーティスト選択モードで選択していたアーティスト名「Ａｇ＊＊」に区分されているアルバムタイトルのうちの１番目のアルバムタイトルの１番目のトラック（Ｔｒａｃｋ．０１）を選択する。
【０２２７】
すると再生部１１５は、時点ｔ６１から区分の切り替わりを通知するための効果音データ（Ｅｆｆｅｃｔ１）を再生する。
【０２２８】
そして再生部１１５は、このＥｆｆｅｃｔ１の再生が終了した時点ｔ６２から、選択部１１４により選択されたアルバムタイトルに対応するアルバムタイトル音声データ（Ｅｆｆｅｃｔ２）を再生する。
【０２２９】
このように携帯型再生装置１００は、Ｅｆｆｅｃｔ１及びＥｆｆｅｃｔ２を順に再生することで、どのアルバムタイトルに切り替わったのかをユーザに認識させることができる。
【０２３０】
また再生部１１５は、時点ｔ６２から、Ｅｆｆｅｃｔ２を再生しつつ、選択部１１４により選択されたＴｒａｃｋ．０１のサビ部分の再生を開始する。そして再生部１１５は、この時点ｔ６２からｓｅａｒｃｈ＿ｆａｄｅ＿ｉｎにより指定される時点ｔ６３までの間、このサビ部分の再生音量を０からｓｅａｒｃｈ＿ｔｒａｃｋ＿ｖｏｌｕｍｅの値まで大きくすることでフェードイン処理を行う。
【０２３１】
その後、再生部１１５は、時点ｔ６３からｓｅａｒｃｈ＿ｐｌａｙ＿ｔｉｍｅにより指定される時点ｔ６４まで再生音量を変えずにＴｒａｃｋ．０１のサビ部分の再生を継続する。
【０２３２】
尚、Ｅｆｆｅｃｔ２の再生と、Ｔｒａｃｋ．０１のサビ部分の再生とが重なる場合、Ｅｆｆｅｃｔ２によるアナウンスがサビ部分の音声で聴こえにくくならないように、一時的に、サビ部分の再生音量が抑えられるようになっている。
【０２３３】
時点ｔ６４になると、再生部１１５は、トラックの切り替わりを通知する為の効果音データ（ｓｅａｒｃｈ  ｆｘ）を、現在サビ再生中のＴｒａｃｋ．０１にミキシングして再生する。尚、このとき再生部１１５は、ｓｅａｒｃｈ＿ｆｘ＿ｖｏｌｕｍｅにより指定される再生音量でｓｅａｒｃｈ  ｆｘを再生するようになっている。
【０２３４】
このときも、Ｅｆｆｅｃｔ２の再生と、ｓｅａｒｃｈ  ｆｘの再生とが重なる場合、Ｅｆｆｅｃｔ２によるアナウンスがｓｅａｒｃｈ  ｆｘの効果音で聴こえにくくならないように、一時的に、ｓｅａｒｃｈ  ｆｘの再生音量が抑えられるようになっている。
【０２３５】
尚、Ｅｆｆｅｃｔ２の再生が終了すると、サビ部分の再生音量及びｓｅａｒｃｈ  ｆｘの再生音量は、ｓｅａｒｃｈ＿ｔｒａｃｋ＿ｖｏｌｕｍｅ及びｓｅａｒｃｈ＿ｆｘ＿ｖｏｌｕｍｅの値までフェードインしながら徐々に戻されるようになっている。
【０２３６】
また再生部１１５は、ｓｅａｒｃｈ  ｆｘを再生しつつ、時点ｔ６４からｓｅａｒｃｈ＿ｆａｄｅ＿ｏｕｔにより指定される時点ｔ６５までの間、Ｔｒａｃｋ．０１のサビ部分の再生音量を０まで小さくすることでフェードアウト処理を行う。そして再生部１１５は、時点ｔ６５でＴｒａｃｋ．０１のサビ部分の再生を終了する。
【０２３７】
選択部１１４は、時点ｔ６４からｓｅａｒｃｈ＿ｆａｄｅ＿ｓｔａｒｔ＿ｔｉｍｅにより指定される時点ｔ６６までの間で、次の音楽データ（例えばＴｒａｃｋ．０２）を選択する。すると再生部１１５は、時点ｔ６６から、選択部１１４により選択されたＴｒａｃｋ．０２のサビ部分の再生を開始する。
【０２３８】
このように携帯型再生装置１００は、アーティスト検索モードからサビ検索モードに移ると、アーティスト検索モードで選択していたアーティスト名に区分されているトラックのうちの１つを選択して、そのトラックから順にサビ部分を再生していく。
【０２３９】
こうすることで、携帯型再生装置１００は、ユーザを、所望のアーティスト名の検索から、所望のアーティスト名に区分されたトラックの検索へと、スムーズに移行させることができる。
【０２４０】
尚、ここでは、アーティスト検索モードからサビ検索モードに移る場合を例に説明したが、図１３の時点ｔ６１以降の処理は、サビ検索モードで、或るアーティスト名に区分されたトラックから次のアーティスト名に区分されたトラックに切り替わる場合にも行われる処理である。
【０２４１】
またこの場合に限らず、サビ検索モードで、或るアルバムタイトルに区分されたトラックから次のアルバムタイトルに区分されたトラックに切り替わる場合にも行われる処理である。
【０２４２】
例えば、簡略化した図１４に示すように、サビ検索モードで、選択部１１４により選択されるトラックが、或る時点ｔｐで、アーティスト名「Ａｆ＊＊」に区分されたトラックから次のアーティスト名「Ａｇ＊＊」に区分されたトラックに切り替わったとする。このとき選択部１１４は、アーティスト名「Ａｇ＊＊」に区分された１番目のアルバムタイトル「Ｂａ＊＊」の１番目のトラック（Ｔｒ．０１）を選択する。
【０２４３】
すると、再生部１１５は、区分の切り替わりを通知するための効果音データ（Ｅｆｆｅｃｔ１）を再生する。そして再生部１１５は、このＥｆｆｅｃｔ１の再生が終了した時点ｔｑから、選択部１１４により選択されたＴｒ．０１のサビ部分の再生を開始する。また再生部１１５は、この時点ｔｑから、Ｔｒ．０１と共に、Ｔｒ．０１が区分されたアルバムタイトル「Ｂａ＊＊」及びそのアルバムタイトル「Ｂａ＊＊」が区分されたアーティスト名「Ａｇ＊＊」をアナウンスする為の音声データ（Ｅｆｆｅｃｔ２）を再生する。
【０２４４】
この場合のＥｆｆｅｃｔ２は、アーティスト名音声データ＋アルバムタイトル音声データで構成される。このようなＥｆｆｅｃｔ２を、トラックの区分が切り替わった時に、そのトラックのサビ部分と共に再生することで、携帯型再生装置１００は、ユーザにどのアーティスト名のどのアルバムタイトルのどのようなトラックに切り替わったかを容易に認識させることができる。
【０２４５】
その後、選択部１１４は、トラック番号順に選択するトラックを切り替え、これに応じて再生部１１５は、トラックのサビ再生を順に切り替えていく。
【０２４６】
そして、選択部１１４により選択されるトラックが、或る時点ｔｒで、アルバムタイトル「Ｂａ＊＊」に区分されたトラックから次のアルバムタイトル「Ｄｂ＊＊」に区分されたトラックに切り替わったとする。この場合、選択部１１４は、アルバムタイトル「Ｄｂ＊＊」の１番目のトラック（Ｔｒ．０１）を選択する。
【０２４７】
すると、再生部１１５は、区分の切り替わりを通知するための効果音データ（Ｅｆｆｅｃｔ１）を再生する。そして再生部１１５は、このＥｆｆｅｃｔ１の再生が終了した時点ｔｓから、選択部１１４により選択されたＴｒ．０１のサビ部分の再生を開始する。また再生部１１５は、この時点ｔｓから、Ｔｒ．０１と共に、Ｔｒ．０１が区分されたアルバムタイトル「Ｄｂ＊＊」をアナウンスする為の音声データ（Ｅｆｆｅｃｔ２）を再生する。
【０２４８】
この場合のＥｆｆｅｃｔ２は、アルバムタイトル音声データのみで構成される。このようなＥｆｆｅｃｔ２を、トラックの区分が切り替わった時に、トラックのサビ部分と共に再生することで、携帯型再生装置１００は、ユーザにどのアルバムタイトルのどのようなトラックに切り替わったかを容易に認識させることができる。
【０２４９】
このように携帯型再生装置１００は、サビ検索モード時に、選択するトラックの区分が切り替わると、トラックのサビ部分と共に、その区分をアナウンスする為の音声データを再生する。こうすることで携帯型再生装置１００は、ユーザに、どのアーティストのどのアルバムのどのようなトラックに切り替わったのかを容易に認識させることができる。
【０２５０】
ところで、上述したように、Ｅｆｆｅｃｔ２は、アーティスト名音声データやアルバムタイトル音声データで構成される為、その再生時間はアーティスト名やアルバムタイトルの長さによって決まる。
【０２５１】
従ってアーティスト名やアルバムタイトルが長くなるほど、このＥｆｆｅｃｔ２の再生時間も長くなる。このようにＥｆｆｅｃｔ２の再生時間が長くなると、Ｅｆｆｅｃｔ２の再生が終了する前に、或るアルバムに収録された全トラックのサビ部分の再生が終了してしまう状況が起こり得る。
【０２５２】
そこで、携帯型再生装置１００は、このような状況を回避する為に、図１５に示すように、少なくとも、Ｅｆｆｅｃｔ２の再生が終了するまで、サビ部分の再生を継続するようになっている。
【０２５３】
すなわち携帯型再生装置１００の再生部１１５は、Ｅｆｆｅｃｔ２の再生が終了する前に、或るアルバムの最終トラック（例えばＴｒ．０６）のサビ部分の再生が終了すると、再びそのアルバムの先頭トラック（例えばＴｒ．０１）に戻ってそのサビ部分を再生する。このようにして再生部１１５は、Ｅｆｆｅｃｔ２の再生が終了するまで、サビ部分の再生を繰り返す。尚、この場合も、Ｅｆｆｅｃｔ２の再生中、サビ部分の再生音量が抑えられるようになっている。
【０２５４】
かくして携帯型再生装置１００は、Ｅｆｆｅｃｔ２に基づくアナウンスを再生している途中で、このアナウンスに対応するトラックの再生が終了してしまうことを回避することができる。
【０２５５】
また一方で図１６に示すように、アーティスト検索モードでアーティスト名「Ａｇ＊＊」が選択され、ｓｅａｒｃｈ  ｆｘが再生されている途中の時点ｔ７０で、ユーザにより回転操作部１０２が回転量約９０％の位置から基準位置まで戻されたとする。
【０２５６】
このときパラメータ出力部１１３から出力されるパラメータが「１２」から「０」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在再生中のｓｅａｒｃｈ  ｆｘにミキシングして再生する。
【０２５７】
選択部１１４は、時点ｔ７０からｓｅａｒｃｈ＿ｄｌｙにより指定される時点ｔ７１まで待機する。この間、再生部１１５は、ｓｅａｒｃｈ  ｆｘの再生を継続する。
【０２５８】
そして選択部１１４及び再生部１１５は、時点ｔ７１で、パラメータが「０」であることにより、ユーザが通常再生モードを利用する為に回転操作部１０２を回転操作していると判別すると、時点ｔ７１で回転操作を受け付ける。そして選択部１１４及び再生部１１５は、アーティスト検索モードから通常再生モードに移る。
【０２５９】
選択部１１４は、時点ｔ７１において、アーティスト検索モードで選択していたアーティスト名「Ａｇ＊＊」に区分されているアルバムタイトルのうちの１番目のアルバムタイトルの１番目のトラック（Ｔｒａｃｋ．０１）を選択する。
【０２６０】
すると再生部１１５は、時点ｔ７１から区分の切り替わりを通知するための効果音データ（Ｅｆｆｅｃｔ１）を再生する。
【０２６１】
そして再生部１１５は、このＥｆｆｅｃｔ１の再生が終了した時点ｔ７２から、選択部１１４により選択されたアルバムタイトルに対応するアルバムタイトル音声データ（Ｅｆｆｅｃｔ２）を再生する。
【０２６２】
このように携帯型再生装置１００は、Ｅｆｆｅｃｔ１及びＥｆｆｅｃｔ２を順に再生することで、どのアルバムタイトルに切り替わったのかをユーザに認識させることができる。
【０２６３】
また再生部１１５は、時点ｔ７２から、Ｅｆｆｅｃｔ２を再生しつつ、選択部１１４により選択されたＴｒａｃｋ．０１の通常再生を開始する。尚、Ｅｆｆｅｃｔ２の再生と、Ｔｒａｃｋ．０１の再生とが重なる区間では、Ｅｆｆｅｃｔ２によるアナウンスがの音声でＴｒａｃｋ．０１の再生で聴こえにくくならないように、一時的に、Ｔｒａｃｋ．０１の再生音量が抑えられるようになっている。
【０２６４】
尚、Ｅｆｆｅｃｔ２の再生が終了すると、Ｔｒａｃｋ．０１の再生音量は、フェードインしながら徐々に元に戻されるようになっている。
【０２６５】
このように携帯型再生装置１００は、アーティスト検索モードから通常再生モードに移ると、アーティスト検索モードで選択していたアーティスト名に区分されているトラックのうちの１つを選択して、そのトラックを通常再生する。
【０２６６】
こうすることで、携帯型再生装置１００は、アーティスト名の検索から、そのアーティスト名に区分されたトラックの再生へと、スムーズに移行することができる。
【０２６７】
さらに図１７に示すように、サビ検索モードでアーティスト名「Ａｇ＊＊」に区分されているＴｒａｃｋ．１０のサビ部分が再生されている途中の時点ｔ８０で、ユーザにより回転操作部１０２が回転量約１００％の位置まで回転させられたとする。
【０２６８】
このときパラメータ出力部１１３から出力されるパラメータが「１３」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在サビ再生中のＴｒａｃｋ．１０にミキシングして再生する。
【０２６９】
選択部１１４は、時点ｔ８０からｓｅａｒｃｈ＿ｄｌｙにより指定される時点ｔ８１まで待機する。この間、再生部１１５は、Ｔｒａｃｋ．１０のサビ再生を継続する。
【０２７０】
そして選択部１１４及び再生部１１５は、時点ｔ８０から時点ｔ８１までの間、パラメータが「１」以上であることにより、ユーザが音声検索モードを利用する為に回転操作部１０２を回転操作していると判別すると、時点ｔ８１で回転操作を受け付ける。
【０２７１】
このときのパラメータが「１３」であるとすると、選択部１１４及び再生部１１５は、対応するｓｅａｒｃｈ＿ｓｔａｔｕｓがイニシャル検索モードを示す値「３」であることによりイニシャル検索モードで動作する。
【０２７２】
そして選択部１１４は、時点ｔ８１において、サビ部分を再生していたＴｒａｃｋ．１０のアーティスト名「Ａｇ＊＊」が区分されたイニシャル「Ａ」を選択する。すると再生部１１５は、時点ｔ８１から区分の切り替えを通知するための効果音データ（Ｅｆｆｅｃｔ１）と、選択部１１４により選択されたイニシャルに対応するイニシャル音声データ（Ｅｆｆｅｃｔ２）とを順に連続再生する。
【０２７３】
このように携帯型再生装置１００は、Ｅｆｆｅｃｔ１及びＥｆｆｅｃｔ２を順に再生することで、どのイニシャルに切り替わったのかをユーザに音声で認識させることができる。
【０２７４】
また再生部１１５は、時点ｔ８１から、トラックの切り替わりを通知する為のｓｅａｒｃｈ  ｆｘを、ｓｅａｒｃｈ＿ｐｌａｙ＿ｔｉｍｅにより指定される間隔で繰り返し再生していく。このときのｓｅａｒｃｈ＿ｐｌａｙ＿ｔｉｍｅは、このときパラメータ出力部１１３から出力されているパラメータ（この場合「１３」）に対応する値である。
【０２７５】
尚、イニシャル検索モードではトラック自体の切り替えを行わないので、このときのｓｅａｒｃｈ  ｆｘは、厳密にトラックの切り替わりを通知する為のものではなく、アーティスト検索モード時よりもトラックの切り替わりが速くなったことを認識させる為のものである。従って、このときのｓｅａｒｃｈ  ｆｘの再生間隔は、アーティスト検索モード時の再生間隔よりも短くなるように設定されている。
【０２７６】
さらに再生部１１５は、時点ｔ８１からｓｅａｒｃｈ＿ｆａｄｅ＿ｏｕｔにより指定される時点ｔ８２までの間、Ｔｒａｃｋ．１０のサビ部分の再生音量を０まで小さくすることでフェードアウト処理を行う。そして再生部１１５は、時点ｔ８２でＴｒａｃｋ．１０のサビ部分の再生を終了する。尚、アーティスト検索モード時は、ｓｅａｒｃｈ＿ｆａｄｅ＿ｏｕｔが無効になる為、ここでは、例えば、アーティスト検索モードに切り替わる直前のサビ検索モード時のｓｅａｒｃｈ＿ｆａｄｅ＿ｏｕｔを利用する。
【０２７７】
さらに再生部１１５は、時点ｔ８１から、イニシャル検索モードであること、つまり最速の検索モードであることを通知する為の効果音データ（これをｓｅａｒｃｈ＿ＭＡＸ＿ｆｘとも呼ぶ）の再生を開始して、フェードイン処理を行う。
【０２７８】
このとき、再生部１１５は、Ｅｆｆｅｃｔ１及びＥｆｆｅｃｔ２と、ｓｅａｒｃｈ  ｆｘと、Ｔｒａｃｋ１０のサビ部分と、ｓｅａｒｃｈ＿ＭＡＸ＿ｆｘとをミキシングして再生する。
【０２７９】
その後、時点ｔ８３で再生部１１５によるＥｆｆｅｃｔ２の再生が終了すると、再生部１１４は、この時点ｔ８３からｓｅａｒｃｈ＿ｆａｄｅ＿ｓｔａｒｔ＿ｔｉｍｅにより指定される時点ｔ８４までの間で、次のイニシャル「Ｂ」を選択する。このときのｓｅａｒｃｈ＿ｆａｄｅ＿ｓｔａｒｔ＿ｔｉｍｅは、このときパラメータ出力部１１３から出力されているパラメータ（この場合「１３」）に対応する値である。
【０２８０】
尚、ｓｅａｒｃｈ＿ｆａｄｅ＿ｓｔａｒｔ＿ｔｉｍｅにより指定されるイニシャルの切り替え間隔は、ｓｅａｒｃｈ  ｆｘにより表されるトラックの切り替え間隔よりも長く設定されている。
【０２８１】
再生部１１５は、時点ｔ８４からイニシャルの切り替えを通知するための効果音データ（Ｅｆｆｅｃｔ１）と、選択部１１４により選択されたイニシャルに対応するイニシャル音声データ（Ｅｆｆｅｃｔ２）とを順に連続再生する。
【０２８２】
このとき、再生部１１５は、Ｅｆｆｅｃｔ１及びＥｆｆｅｃｔ２と、ｓｅａｒｃｈ  ｆｘと、ｓｅａｒｃｈ＿ＭＡＸ＿ｆｘとをミキシングして再生するようになっている。
【０２８３】
このように携帯型再生装置１００は、イニシャル検索モードになると、選択するイニシャルを順に切り替えながら、イニシャル音声データを順に再生していく。
【０２８４】
こうすることで、携帯型再生装置１００は、ユーザに、選択中のイニシャルを音声で認識させながら所望のイニシャルを容易に検索させることができる。
【０２８５】
また携帯型再生装置１００は、このアーティスト検索モード時、トラックの切り替え間隔を示す効果音データ（ｓｅａｒｃｈ  ｆｘ）をアーティスト検索モード時の再生間隔よりも短い間隔で繰り返し再生する。
【０２８６】
こうすることで、携帯型再生装置１００は、アーティスト検索モード時よりもトラックの切り替えが速くなったことをユーザに認識させながらアーティスト名を検索させることができる。
【０２８７】
実際、ｓｅａｒｃｈ  ｆｘの再生間隔は、回転操作部１０２の回転量が多くなるほど、短くなるように設定されている。従って、携帯型再生装置１００は、回転操作部１０２の回転量が多くなるほど、トラックの切り替えが速くなったことをユーザに認識させることができ、かくして、より直感的な検索操作をユーザに提供できる。
【０２８８】
さらに図１８に示すように、イニシャル検索モードでイニシャル「Ｃ」が選択され、ｓｅａｒｃｈ  ｆｘ及びｓｅａｒｃｈ＿ＭＡＸ＿ｆｘが再生されている途中の時点ｔ９０で、回転操作部１０２が回転量約１００％の位置から約９０％の位置まで戻されたとする。
【０２８９】
このときパラメータ出力部１１３から出力されるパラメータが「１３」から「１２」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在再生中のｓｅａｒｃｈ  ｆｘ及びｓｅａｒｃｈ＿ＭＡＸ＿ｆｘにミキシングして再生する。
【０２９０】
選択部１１４は、時点ｔ９０からｓｅａｒｃｈ＿ｄｌｙにより指定される時点ｔ９１まで待機する。この間、再生部１１５は、ｓｅａｒｃｈ  ｆｘ及びｓｅａｒｃｈ＿ＭＡＸ＿ｆｘの再生を継続する。
【０２９１】
そして選択部１１４及び再生部１１５は、時点ｔ９０から時点ｔ９１までの間、パラメータが「１」以上であることにより、ユーザが音声検索モードを利用する為に回転操作部１０２を回転操作していると判別すると、時点ｔ９１で回転操作を受け付ける。
【０２９２】
このときのパラメータが「１２」であるとすると、選択部１１４及び再生部１１５は、対応するｓｅａｒｃｈ＿ｓｔａｔｕｓがアーティスト検索モードを示す値「２」であることにより、イニシャル検索モードからアーティスト検索モードに移る。
【０２９３】
選択部１１４は、時点ｔ９１において、イニシャル選択モードで選択していたイニシャル「Ｃ」に区分されているイニシャルに区分されている１番目のアーティスト名（例えば「Ｃａ＊＊」）を選択する。
【０２９４】
すると再生部１１５は、時点ｔ９１から区分の切り替わりを通知するための効果音データ（Ｅｆｆｅｃｔ１）と、選択部１１４により選択されたアーティスト名に対応するアーティスト名音声データ（Ｅｆｆｅｃｔ２）とを順に連続再生する。
【０２９５】
このように携帯型再生装置１００は、Ｅｆｆｅｃｔ１及びＥｆｆｅｃｔ２を順に再生することで、どのアーティスト名に切り替わったのかをユーザに認識させることができる。
【０２９６】
また再生部１１５は、時点ｔ９１から、ｓｅａｒｃｈ＿ＭＡＸ＿ｆｘのフェードアウト処理を行って、このｓｅａｒｃｈ＿ＭＡＸ＿ｆｘの再生を終了する。
【０２９７】
さらに再生部１１５は、時点ｔ９１以降、トラックの切り替わりを通知する為のｓｅａｒｃｈ  ｆｘを、ｓｅａｒｃｈ＿ｐｌａｙ＿ｔｉｍｅにより指定される間隔で繰り返し再生していく。このときのｓｅａｒｃｈ＿ｐｌａｙ＿ｔｉｍｅは、このときパラメータ出力部１１３から出力されているパラメータ（この場合「１２」）に対応する値である。
【０２９８】
このときのｓｅａｒｃｈ  ｆｘの再生間隔は、イニシャル検索モード時の再生間隔よりも長くなるように設定されている。
【０２９９】
その後、時点ｔ９２で再生部１１５によるＥｆｆｅｃｔ２の再生が終了すると、再生部１１４は、この時点ｔ９２からｓｅａｒｃｈ＿ｆａｄｅ＿ｓｔａｒｔ＿ｔｉｍｅにより指定される時点ｔ９３までの間で、次のアーティスト名「Ｃｂ＊＊」を選択する。このときのｓｅａｒｃｈ＿ｆａｄｅ＿ｓｔａｒｔ＿ｔｉｍｅは、このときパラメータ出力部１１３から出力されているパラメータ（この場合「１２」）に対応する値である。
【０３００】
再生部１１５は、時点ｔ９３からアーティスト名の切り替わりを通知するための効果音データ（Ｅｆｆｅｃｔ１）と、選択部１１４により選択されたアーティスト名に対応するアーティスト名音声データ（Ｅｆｆｅｃｔ２）とを順に連続再生する。
【０３０１】
このとき、再生部１１５は、Ｅｆｆｅｃｔ１及びＥｆｆｅｃｔ２と、ｓｅａｒｃｈ  ｆｘとをミキシングして再生するようになっている。
【０３０２】
このように携帯型再生装置１００は、イニシャル検索モードからアーティスト検索モードに移ると、イニシャル検索モードで選択していたイニシャルに区分されているアーティスト名のうちの１つを選択して、そのアーティスト名音声データを再生する。
【０３０３】
こうすることで、携帯型再生装置１００は、イニシャルの検索から、そのイニシャルに区分されたアーティスト名の検索へと、スムーズに移行することができる。
【０３０４】
さらに図１９に示すように、イニシャル検索モードでイニシャル「Ｃ」が選択され、ｓｅａｒｃｈ  ｆｘ及びｓｅａｒｃｈ＿ＭＡＸ＿ｆｘが再生されている途中の時点ｔ１００で、回転操作部１０２が回転量約１００％の位置から基準位置まで戻されたとする。
【０３０５】
このときパラメータ出力部１１３から出力されるパラメータが「１３」から「０」に変わることにより、選択部１１４及び再生部１１５は、回転操作部１０２の回転を検知する。すると再生部１１５は、回転操作部１０２の回転を検知したことを通知する為の効果音データ（ｓｅａｒｃｈ  ｃｔｒｌ）を、現在再生中のｓｅａｒｃｈ  ｆｘ及びｓｅａｒｃｈ＿ＭＡＸ＿ｆｘにミキシングして再生する。
【０３０６】
選択部１１４は、時点ｔ１００からｓｅａｒｃｈ＿ｄｌｙにより指定される時点ｔ１０１まで待機する。この間、再生部１１５は、ｓｅａｒｃｈ  ｆｘ及びｓｅａｒｃｈ＿ＭＡＸ＿ｆｘの再生を継続する。
【０３０７】
そして選択部１１４及び再生部１１５は、時点ｔ１０１で、パラメータが「０」であることにより、ユーザが通常検索モードを利用する為に回転操作部１０２を回転操作していると判別すると、時点ｔ１０１で回転操作を受け付ける。そして選択部１１４及び再生部１１５は、イニシャル検索モードから通常再生モードに移る。
【０３０８】
選択部１１４は、時点ｔ１０１において、イニシャル選択モードで選択していたイニシャル「Ｃ」に区分されている１番目のアーティスト名（例えば「Ｃａ＊＊」）の１番目のアルバムタイトルの１番目のトラック（Ｔｒａｃｋ．０１）を選択する。
【０３０９】
すると再生部１１５は、時点ｔ１０１から区分の切り替わりを通知するための効果音データ（Ｅｆｆｅｃｔ１）を再生すると共に、ｓｅａｒｃｈ＿ＭＡＸ＿ｆｘのフェードアウト処理を行って、ｓｅａｒｃｈ＿ＭＡＸ＿ｆｘの再生を終了する。
【０３１０】
そして再生部１１５は、このＥｆｆｅｃｔ１の再生が終了した時点ｔ１０２から、選択部１１４により選択されたアーティスト名及びアルバムタイトルに対応する音声データ（Ｅｆｆｅｃｔ２）を再生する。つまり、このときのＥｆｆｅｃｔ２は、アーティスト名音声データ＋アルバムタイトル音声データで構成される。
【０３１１】
このように携帯型再生装置１００は、Ｅｆｆｅｃｔ１及びＥｆｆｅｃｔ２を順に再生することで、どのアーティスト名のどのアルバムタイトルのトラックに切り替わったのかをユーザに認識させることができる。
【０３１２】
また再生部１１５は、時点ｔ１０２から、Ｅｆｆｅｃｔ２を再生しつつ、選択部１１４により選択されたＴｒａｃｋ．０１の通常再生を開始する。尚、Ｅｆｆｅｃｔ２の再生と、Ｔｒａｃｋ．０１の再生とが重なる区間では、Ｅｆｆｅｃｔ２によるアナウンスがの音声でＴｒａｃｋ．０１の再生で聴こえにくくならないように、一時的に、Ｔｒａｃｋ．０１の再生音量が抑えられるようになっている。
【０３１３】
尚、Ｅｆｆｅｃｔ２の再生が終了すると、Ｔｒａｃｋ．０１の再生音量は、フェードインしながら徐々に元に戻されるようになっている。
【０３１４】
このように携帯型再生装置１００は、イニシャル検索モードから通常再生モードに移ると、イニシャル検索モードで選択していたイニシャルのアーティスト名に区分されているトラックのうちの１つを選択して、そのトラックを通常再生する。
【０３１５】
こうすることで、携帯型再生装置１００は、イニシャルの検索から、そのイニシャルのアーティスト名に区分されたトラックの再生へと、スムーズに移行することができる。
【０３１６】
ここまで説明したように、携帯型再生装置１００は、回転操作部１０２の回転量に応じて、検索モード、各種音声データの再生時間、再生間隔、再生音量を変化させるようになっている。
【０３１７】
（１−２−４）モード切替処理手順
次に、図２０に示すフローチャートを用いて、上述した携帯型再生装置１００によるモード（通常再生モード、サビ検索モード、アーティスト検索モード、イニシャル検索モード）切り替えの処理手順（これをモード切替処理手順とも呼ぶ）ＲＴ１について簡単に説明する。尚、この処理の詳細については、上述の説明を参照とする。
【０３１８】
携帯型再生装置１００の制御部１１０は、携帯型再生装置１００が起動すると、このモード切替処理手順ＲＴ１を開始する。モード切替処理手順ＲＴ１を開始するとステップＳＰ１において、携帯型再生装置１００の選択部１１４及び再生部１１５は、回転操作部１０２の回転量を示すパラメータをパラメータ出力部１１３から取得する。
【０３１９】
そしてこのパラメータが「０」の場合、選択部１１４及び再生部１１５は、ステップＳＰ２に移り、通常再生モードになる。つづくステップＳＰ３において選択部１１４は、トラックを選択する。するとステップＳＰ４において、再生部１１５が、このトラックの通常再生を開始する。そして選択部１１４及び再生部１１５は、再びステップＳＰ１に戻る。
【０３２０】
またパラメータが「１」〜「９」の場合、選択部１１４及び再生部１１５は、ステップＳＰ５に移り、音声検索モードのサビ検索モードになる。つづくステップＳＰ６において、選択部１１４は、トラックを選択する。するとステップＳＰ７において再生部１１５は、今回選択されたトラックが、前回選択されたトラックとは別の区分（別のアーティスト名、もしくは別のアルバムタイトル）のトラックであるかどうかを判別する。
【０３２１】
このステップＳＰ７で肯定結果を得ると、再生部１１５は、ステップＳＰ８に移り、今回選択されたトラックの区分に対応するアナウンス音声データの再生を開始して、次のステップＳＰ９に移る。
【０３２２】
これに対して、今回選択されたトラックが、前回選択されたトラックと同じ区分であることにより、上述のステップＳＰ７で否定結果を得ると、再生部１１５は、アナウンス音声データを再生せずに、ステップＳＰ９に移る。
【０３２３】
ステップＳＰ９において再生部１１５は、今回選択されたトラックのサビ部分の再生を開始する。そして選択部１１４及び再生部１１５は、再びステップＳＰ１に戻る。
【０３２４】
さらに、このパラメータが「１０」〜「１２」の場合、選択部１１４及び再生部１１５は、ステップＳＰ１０に移り、音声検索モードのアーティスト検索モードになる。つづくステップＳＰ１１において選択部１１４は、アーティスト名を選択する。するとステップＳＰ１２において再生部１１５は、このアーティスト名に対応するアナウンス音声データの再生を開始する。そして選択部１１４及び再生部１１５は、再びステップＳＰ１に戻る。
【０３２５】
さらに、このパラメータが「１３」の場合、選択部１１４及び再生部１１５は、ステップＳＰ１３に移り、音声検索モードのイニシャル検索モードになる。つづくステップＳＰ１４において選択部１１４は、イニシャルを選択する。するとステップＳＰ１５において再生部１１５は、このイニシャルに対応するアナウンス音声データの再生を開始する。そして選択部１１４及び再生部１１５は、再びステップＳＰ１に戻る。
【０３２６】
このようなモード切替処理手順ＲＴ１に従って、携帯型再生装置１００は、モードを切り替えるようになっている。
【０３２７】
（１−２−５）第１の実施の形態の動作及び効果
以上の構成において携帯型再生装置１００のパラメータ出力部１１３は、回転操作部１０２が回転操作されると、その回転量を示すパラメータを出力する。
【０３２８】
携帯型再生装置１００の選択部１１４及び再生部１１５は、このパラメータが「１」〜「９」の場合、サビ検索モードで動作する。
【０３２９】
すなわち、このサビ検索モード時、選択部１１４は、記憶部１１２に記憶された関連情報データベースＤｂに基づいて、トラックを順に選択していく。一方、再生部１１５は、選択部１１４により順に選択されたトラックのサビ部分を再生していくことで、どのトラックが選択されているのかをユーザに通知する。
【０３３０】
またパラメータが「１０」〜「１２」の場合、選択部１１４及び再生部１１５は、アーティスト検索モードで動作する。
【０３３１】
すなわち、このアーティスト検索モード時、選択部１１４は、記憶部１１２に記憶された関連情報データベースＤｂに基づいて、トラックを区分しているアーティスト名を順に選択していく。一方、再生部１１５は、選択部１１４により順に選択されたアーティスト名のアナウンス音声データを再生していくことで、どのアーティスト名が選択されているのかをユーザに通知する。
【０３３２】
さらにパラメータが「１３」の場合、選択部１１４及び再生部１１５は、イニシャル検索モードで動作する。
【０３３３】
すなわち、このイニシャル検索モード時、選択部１１４は、記憶部１１２に記憶された関連情報データベースＤｂに基づいて、アーティスト名を区分しているイニシャルを順に選択していく。一方、再生部１１５は、選択部１１４により順に選択されたイニシャルのアナウンス音声データを再生していくことで、どのイニシャルが選択されているのかをユーザに通知する。
【０３３４】
こうすることで携帯型再生装置１００は、回転操作部１０２の回転操作だけで、その回転量によって選択対象をトラック、又はトラックを区分するアーティスト名やそのイニシャルに切り替えることができる。さらに携帯型再生装置１００は、選択したトラック、アーティスト名又はイニシャルを音声でユーザに認識させながら、選択するトラック、アーティスト名又はイニシャルを切り替えていくことができる。
【０３３５】
また携帯型再生装置１００は、サビ検索モード時、選択部１１４により選択されるトラックが、或るアルバムタイトルに区分されたトラックから別のアルバムタイトルに区分されたトラックに切り替わったとする。
【０３３６】
すると再生部１１５は、そのトラックのアルバムタイトルに対応するアルバムタイトル音声データを再生しつつ、そのトラックを通常再生する。つまりこのときの再生部１１５は、アルバムタイトル音声データとトラックとをミキシングして再生する。
【０３３７】
こうすることで携帯型再生装置１００は、ユーザに曲を聴かせながらその曲が収録されたアルバムのアルバムタイトルを容易に認識させることができる。
【０３３８】
以上の構成によれば、携帯型再生装置１００は、回転操作部１０２を回転させる単一の操作でありながら、その回転量によって選択対象をトラック、又はトラックをまとめたアーティスト名やそのイニシャルに切り替えることができる。さらに携帯型再生装置１００は、選択したトラック、アーティスト名又はイニシャルを音声でユーザに認識させながら、トラック、アーティスト名又はイニシャルを順に選択していくことができる。このように携帯型再生装置１００は、簡単な操作と音声だけで所望のトラック（音楽データ）をユーザに検索させることができ、かくして従来と比して一段と容易に所望のトラック（音楽データ）をユーザに検索させることができる。
【０３３９】
（２）第２の実施の形態
次に第２の実施の形態について説明する。この第２の実施の形態は、上述した第１の実施の形態の携帯型再生装置１００の再生制御の一部（詳しくは後述する）を、この携帯型再生装置１００とは異なる操作部を有する機器に適用した例である。
【０３４０】
（２−１）携帯型再生装置の外観構成
図２１において２００は、第２の実施の形態の携帯型再生装置の外観構成を示す。
【０３４１】
携帯型再生装置２００は、全体的に丸みを帯びた略扁平矩形状の筐体２０１を有している。この筐体２０１の一端部には、略円柱状の回転操作部２０２が設けられている。この携帯型再生装置２００は、筐体２０１と回転操作部２０２とで全体として例えば片手で把持し得る程度の大きさに選定されている。
【０３４２】
回転操作部２０２は、筐体２０１の長手方向の中心軸Ａ１０を回転軸として、回転操作部２０２を真上から見て矢印Ｂ１０で示す時計回り方向及び矢印Ｂ１１で示す半時計回り方向に回転できるように筐体２０１に取り付けられている。
【０３４３】
この回転操作部２０２は、内部の付勢部材（例えばバネ）により所定の基準位置に付勢されるようになっており、ユーザの操作により、この基準位置から例えば＋−３０度の範囲で回転できるようになっている。尚、ここでは、矢印Ｂ１１で示す半時計回り方向を＋方向、矢印Ｂ１０で示す時計回り方向を−方向とする。
【０３４４】
またこの回転操作部２０２は、筐体２０１から遠ざかる方向に所定の位置まで引き出すことができ、また引き出された位置から、元の位置に押し込むことができるようになっている。
【０３４５】
すなわちこの回転操作部２０２は、回転操作と、引出及び押込操作との２種類の操作がができるようになっている。
【０３４６】
またこの回転操作部２０２の端部には、イヤホン端子２０３が設けられ、このイヤホン端子２０３にイヤホン２０４を接続できるようになっている。
【０３４７】
さらに筐体２０１には、音楽データの関連情報などを表示する為の表示部２０５と、再生／一時停止ボタン２０６と、音量調節ボタン２０７と、外部装置（例えばパーソナルコンピュータ）と接続する為の外部接続端子２０８とが設けられている。
【０３４８】
携帯型再生装置２００は、この外部接続端子２０８に接続されたケーブル（図示せず）を介して外部装置と接続できるようになっている。
【０３４９】
さらに携帯型再生装置２００は、ケーブルを介して接続された外部装置から音楽データが転送されてくると、これを筐体２０１内の記憶部（図示せず）に記憶する。このとき外部装置からは、第１の実施の形態と同様、音楽データの関連情報も転送されてくるようになっており、携帯型再生装置２００は、この関連情報も記憶するようになっている。
【０３５０】
その後、ケーブルが外され、再生／一時停止ボタン２０６が押下されると、携帯型再生装置２００は、筐体２０１内の記憶部に記憶している音楽データの再生を開始する。
【０３５１】
そして携帯型再生装置２００は、音楽データを再生することで得られる音声信号に基づく音声を、イヤホン端子２０３に接続されたイヤホン２０４から出力する。このようにして携帯型再生装置２００は、音楽データを再生するようになっている。
【０３５２】
またこのとき携帯型再生装置２００は、再生している音楽データの関連情報をもとに、表示部２０５に、音楽データの曲タイトル、アルバムタイトル、アーティスト名、再生時間などを表示するようにもなっている。
【０３５３】
さらに携帯型再生装置２００は、回転操作部２０２の引出及び押込操作に応じて、選択対象をトラック（音楽データ）からアルバム、またはその逆に切り替えることができるようにもなっている。例えば、回転操作部１０２が引き出されると選択対象がアルバムタイトルになり、押し込まれるとトラックになる。
【０３５４】
そして携帯型再生装置２００は、回転操作部２０２が引き出されている状態で、回転操作部１０２が所定量回転させられると、次のアルバムタイトルを選択するように、つまり選択するアルバムタイトルを次のアルバムタイトルに切り替えるようになっている。
【０３５５】
また携帯型再生装置２００は、回転操作部２０２が押し込まれている状態で、回転操作部１０２が所定量回転させられると、次のトラックを選択するように、つまり選択するトラックを次のトラックに切り替えるようになっている。
【０３５６】
そしてこの携帯型再生装置２００は、アルバムタイトルの切り替え、またはアルバムタイトルをまたぐトラックの切り替え時に、上述した第１の実施の形態と同様にして、アナウンス音声データを再生することで、どのアルバムタイトルに切り替わったかをユーザに通知するようになっている。
【０３５７】
（２−２）携帯型再生装置の内部構成（機能構成）
次に携帯型再生装置２００の内部構成について説明する。図２２に示すように、携帯型再生装置２００は、制御部２１０と、操作部２１１と、記憶部２１２と、選択部２１３と、再生部２１４と、表示部２０５と、外部接続部２１５とを有している。
【０３５８】
尚、操作部２１１には、上述した回転操作部２０２、再生／一時停止ボタン２０６及び音量調節ボタン２０７が含まれる。また再生部２１４には、上述したイヤホン端子２０３が含まれる。また外部接続部２１５には、上述した外部接続端子２０８が含まれる。
【０３５９】
この携帯型再生装置２００は、外部接続部２１５及びケーブルを介して外部装置と接続された状態で、この外部装置から音楽データが転送されてくると、これを記憶部２１２に記憶する。
【０３６０】
このとき外部装置からは、音楽データとともに、この音楽データの関連情報が転送されてくる。携帯型再生装置２００は、この関連情報も記憶部２１２に記憶する。尚、この関連情報には、音楽データに基づく曲の曲タイトル、アーティスト名、この曲が収録されたアルバムのアルバムタイトル、ジャケット画像、収録されたアルバムでのトラック番号、曲のサビ位置などの属性情報が含まれている。
【０３６１】
さらに、この携帯型再生装置２００では、制御部２１０が、この関連情報をもとに、携帯型再生装置１００と同様にして、関連情報データベースＤｂを構築するようになっている。
【０３６２】
さらに関連情報には、アルバムタイトルをアナウンスする為のアルバムタイトル音声データが含まれている。
【０３６３】
その後、ケーブルが外され、操作部２１１の再生／一時停止ボタン２０６が押下操作されると、携帯型再生装置２００は、選択部２１３が記憶部２１２に記憶されている音楽データの１つを選択する。すると再生部２１４が、この音楽データの再生を開始する。
【０３６４】
そして再生部２１４は、音楽データを再生することで得られる音声信号に基づく音声（つまり曲の音声）をイヤホン２０４から出力する。こうすることで携帯型再生装置２００は、音楽データに基づく曲の音声をユーザに聴かせることができる。
【０３６５】
また再生部２１４は、操作部２１１の音量調節ボタン２０７が押下操作されると、音楽データの再生音量を調節するようになっている。
【０３６６】
またこのとき制御部２１０は、再生している音楽データの関連情報を表示部２０５に表示するようになっている。
【０３６７】
さらに選択部２１３は、操作部２１０の回転操作部２０２の回転操作に応じて、選択するアルバムタイトル又はトラックの切り替えを行う。
【０３６８】
具体的に選択部２１３は、回転操作部２０２が押し込まれた状態で、所定量回転させられると、選択するトラックを次のトラックに切り替える。すると再生部２１４は、このとき選択部２１３により選択されたトラックの再生を開始する。
【０３６９】
ここで、選択部２１３により選択されるトラックが、或るアルバムタイトルに区分されたトラックから別のアルバムタイトルに区分されたトラックに切り替わったとする。すると再生部２１４は、選択されたトラックを再生しながら、このトラックのアルバムタイトルに対応するアルバムタイトル音声データを再生する。
【０３７０】
このときの再生制御は、携帯型再生装置１００での再生制御と同様である。すなわち、このとき再生部２１４は、図１４のタイミングチャートに示した再生制御と同様の再生制御を行うようになっている。
【０３７１】
具体的に再生部２１４は、或るアルバムタイトルに区分されたトラックから別のアルバムタイトルに区分されたトラックに切り替わると、まず、その旨を示すＥｆｆｅｃｔ１を再生する。その後、再生部２１４は、そのトラックのアルバムタイトルに対応するアルバムタイトル音声データ（Ｅｆｆｅｃｔ２）の再生を開始すると共に、そのトラック（Ｔｒａｃｋ．０１）の通常再生を開始する。つまり、このときの再生部２１４は、アルバムタイトル音声データとトラックとをミキシングして再生するようになっている。
【０３７２】
さらに選択部２１３は、回転操作部２０２が引き出された状態で、所定量回転させられると、選択するアルバムタイトルを次のアルバムタイトルに切り替える。すると再生部２１４は、このとき選択部２１３により選択されたアルバムタイトルに対応するアルバムタイトル音声データを再生する。また再生部２１４は、このアルバムタイトル音声データを再生しつつ、このアルバムタイトルに区分されたトラックのサビ部分を順に再生していく。
【０３７３】
このときの再生制御も、携帯型再生装置１００での再生制御と同様である。すなわち、このとき再生部２１４は、図１４及び図１５のタイミングチャートに示した再生制御と同様の再生制御を行うようになっている。
【０３７４】
具体的に再生部２１４は、或るアルバムタイトルから次のアルバムタイトルに切り替わると、まず、その旨を示すＥｆｆｅｃｔ１を再生する。その後、再生部２１４は、そのトラックのアルバムタイトルに対応するアルバムタイトル音声データ（Ｅｆｆｅｃｔ２）の再生を開始すると共に、そのアルバムタイトルに区分されたトラックのサビ部分を順に再生していく。このときの再生部２１４は、アルバムタイトル音声データとトラックのサビ部分とをミキシングして再生するようになっている。
【０３７５】
尚、このときの再生部２１４は、図１５のタイミングチャートに示したように、少なくともアルバムタイトル音声データの再生が終了するまで、トラックのサビ部分の再生を繰り返すようになっている。
【０３７６】
このように携帯型再生装置２００は、アルバムタイトルの切り替え時に、切り替え後のアルバムタイトルをアナウンスしつつ、そのアルバムタイトルに区分されているトラックを再生するようになっている。
【０３７７】
こうすることで携帯型再生装置２００は、アルバムタイトルのアナウンスと、そのアルバムタイトルに区分されているトラックの曲とを同時に聴かせることができる。
【０３７８】
（２−３）選択処理手順
次に、図２３に示すフローチャートを用いて、上述した携帯型再生装置２００によるトラック及びアルバム選択時の処理手順（これを選択処理手順とも呼ぶ）ＲＴ２について簡単に説明する。尚、この処理の詳細については、上述の説明を参照とする。
【０３７９】
携帯型再生装置２００の制御部２１０は、携帯型再生装置２００が起動すると、この選択処理手順ＲＴ２を開始する。選択処理手順ＲＴ２を開始するとステップＳＰ２０において、携帯型再生装置２００の制御部２１０は、回転操作部２０２が回転されるのを待ち受ける。
【０３８０】
回転操作部２０２が回転されると、制御部２１０は、次のステップＳＰ２１に移る。ステップＳＰ２１において制御部２１０は、このとき回転操作部２０２が押し込まれた状態であるかどうかを判別する。
【０３８１】
このステップＳＰ２１で肯定結果を得ると、制御部２１０は、回転操作部２０２が押し込まれた状態で回転されたことを選択部２１３に通知する。
【０３８２】
回転操作部２０２が押し込まれた状態で回転されたことが通知されると選択部２１３は、ステップＳＰ２２において、トラックを選択する。すると、ステップＳＰ２３において再生部２１４は、今回選択されたトラックが、前回選択されたトラックとは別の区分（別の別のアルバムタイトル）のトラックであるかどうかを判別する。
【０３８３】
このステップＳＰ２３で肯定結果を得ると、再生部２１４は、ステップＳＰ２４に移り、今回選択されたトラックのアルバムタイトルに対応するアナウンス音声データの再生を開始して、次のステップＳＰ２５に移る。
【０３８４】
これに対して、今回選択されたトラックが、前回選択されたトラックと同じアルバムタイトルに区分されたものであることにより、上述のステップＳＰ２３で否定結果を得ると、再生部２１４は、アナウンス音声データを再生せずに、ステップＳＰ２５に移る。
【０３８５】
ステップＳＰ２５において再生部２１４は、今回選択されたトラックの再生を開始する。そして選択部２１３及び再生部２１４は、再びステップＳＰ２０に戻る。
【０３８６】
一方、上述のステップＳＰ２１で否定結果を得ると、制御部２１０は、回転操作部２０２が引き出された状態で回転されたことを選択部２１３に通知する。
【０３８７】
回転操作部２０２が引き出された状態で回転されたことが通知されると選択部２１３は、ステップＳＰ２６において、アルバムタイトルを選択する。すると、ステップＳＰ２７において再生部２１４は、今回選択されたアルバムタイトルに対応するアナウンス音声データの再生を開始して、次のステップＳＰ２８に移る。
【０３８８】
ステップＳＰ２８において再生部２１４は、今回選択されたアルバムタイトルに区分されているトラックのサビ再生を先頭トラックから開始する。そして選択部２１３及び再生部２１４は、再びステップＳＰ２０に戻る。
【０３８９】
このような選択処理手順ＲＴ２に従って、携帯型再生装置２００は、トラック及びアルバム選択時の処理を行うようになっている。
【０３９０】
（２−４）第２の実施の形態における動作及び効果
以上の構成において携帯型再生装置２００の選択部２１３は、回転操作部２０２が押し込まれた状態で回転させられると、選択するトラックの切り替えを行う一方で、引き出された状態で回転させられると、選択するアルバムタイトルの切り替えを行う。
【０３９１】
ここで選択部２１３により選択されるトラックが、或るアルバムタイトルに区分されたトラックから別のアルバムタイトルに区分されたトラックに切り替わったとする。
【０３９２】
すると再生部２１４は、そのトラックのアルバムタイトルに対応するアルバムタイトル音声データを再生しつつ、そのトラックを通常再生する。つまりこのときの再生部２１４は、アルバムタイトル音声データとトラックとをミキシングして再生する。
【０３９３】
また選択部２１３により選択されるアルバムタイトルが別のアルバムタイトルに切り替わったとする。
【０３９４】
すると再生部２１４は、そのアルバムタイトルに対応するアルバムタイトル音声データを再生しつつ、そのアルバムタイトルに区分されている先頭トラックから順にサビ部分を再生していく。つまりこのときの再生部２１４は、アルバムタイトル音声データとトラックのサビ部分とをミキシングして再生する。
【０３９５】
こうすることで携帯型再生装置２００は、ユーザに音楽を聴かせながらその音楽が収録されたアルバムのアルバムタイトルを容易に認識させることができる。
【０３９６】
以上の構成によれば、携帯型再生装置２００は、ユーザに音楽を聴かせながらその音楽が収録されたアルバムのアルバムタイトルを容易に認識させることができ、かくして従来と比して一段と容易に使い勝手を向上させることができる。
【０３９７】
（３）第３の実施の形態
次に第３の実施の形態について説明する。この第３の実施の形態では、上述した第１の実施の形態の携帯型再生装置１００及び第２の実施の形態の携帯型再生装置２００をハードウェア構成により実現した例である。
【０３９８】
図２４に示す携帯型再生装置３００は、上述した第１の実施の形態の機能構成の携帯型再生装置１００をハードウェア構成により実現した例である。
【０３９９】
この携帯型再生装置３００は、入力デバイス３０１がユーザによって操作されると、入力デバイス３０１でこれを認識し、その操作に応じた操作入力信号を入力処理部３０２に送る。
【０４００】
入力処理部３０２は、供給される操作入力信号を操作コマンドに変換して、これをバスを介してＣＰＵ（Central  Processing  Unit）３０３に送る。
【０４０１】
ＣＰＵ３０３は、ＲＯＭ（Read  Only  Memory）３０４又はフラッシュメモリ３０５に予め記憶されている各種プログラムをバスを介してＲＡＭ（Random  Access  Memory）３０６にロードする。
【０４０２】
そしてＣＰＵ３０３は、ＲＡＭ３０６にロードした各種プログラムに従って全体を制御することで、入力処理部３０２から与えられる操作コマンドなどに応じた各種処理（上述したモード切替処理など）を実行する。
【０４０３】
具体的に言うと、ＣＰＵ３０３は、外部インタフェース３０７を介して接続された外部装置から転送される音楽データやアナウンス音声データなどの各種データを、フラッシュメモリ３０５に記憶させる。
【０４０４】
またＣＰＵ３０３は、入力処理部３０２から与えられる操作コマンドに応じてフラッシュメモリ３０５から音楽データやアナウンス音声データを読み出し、これらを音声処理部３０８に入力する。
【０４０５】
音声処理部３０８は、入力された音楽データやアナウンス音声データを再生処理した結果得られる音楽やアナウンス音声をイヤホン３０９を介して出力する。
【０４０６】
ところで、この携帯型再生装置３００は、上述したように、ＣＰＵ３０３がＲＯＭ３０４又はフラッシュメモリ３０５に予め記憶されている各種プログラムにしたがって各種処理を実行するようになっている。
【０４０７】
ゆえに、携帯型再生装置１００の機能及び実行する処理に応じて、ＲＯＭ３０４又はフラッシュメモリ３０５に記憶させる各種プログラムを適宜選定することで、ＣＰＵ３０３を携帯型再生装置１００の制御部１１０と同様に機能させることができる。またＣＰＵ３０３を、携帯型再生装置１００の選択部１１４と同様に機能させることができる。
【０４０８】
さらに入力デバイス３０１を携帯型再生装置１００の操作部１１１と同様に機能させることができる。さらに入力処理部３０２を携帯型再生装置１００のパラメータ出力部１１３と同様に機能させることができる。尚、ここでは、携帯型再生装置１００の操作部１１１と同様の操作が可能な入力デバイス３０１が選定されているとする。また、パラメータ出力部１１３と同様のパラメータが出力可能な入力処理部３０２が選定されているとする。
【０４０９】
さらにフラッシュメモリ３０５を携帯型再生装置１００の記憶部１１２と同様に機能させることができる。さらに音声処理部３０８及びイヤホン３０９を携帯型再生装置１００の再生部１１５と同様に機能させることができる。さらに外部インタフェース部３０７を携帯型再生装置１００の外部接続部１１６と同様に機能させることができる。
【０４１０】
従って、携帯型再生装置３００は、図２４に示すようなハードウェア構成で、機能構成でなる携帯型再生装置１００の各種機能を実現することができ、かくして、第１の実施の形態と同様の効果を得ることができる。
【０４１１】
また、この第３の実施の形態では、携帯型再生装置３００のＣＰＵ３０３がＲＯＭ３０４又はフラッシュメモリ３０５に予め記憶された各種プログラムにしたがって、各種処理を実行するようにした。
【０４１２】
本発明はこれに限らず、各種プログラムを、ＣＤ（Compact  Disc）やＤＶＤ（Digital  Versatile  Disc）などの記録媒体に記録しておき、ＣＰＵ３０３がこの記録媒体から各種プログラムを読み出して、各種処理を実行するようにしてもよい。
【０４１３】
この場合、外部インタフェース３０７にドライブ（図示せず）を接続して、このドライブを介してＣＰＵ３０３が記録媒体から各種プログラムを読み出すようにすればよい。また、各種プログラムをこの記録媒体からフラッシュメモリ３０５にインストールするようにしてもよい。
【０４１４】
一方、図２５に示す携帯型再生装置４００は、上述した第２の実施の形態の機能構成の携帯型再生装置２００をハードウェア構成により実現した例である。
【０４１５】
この携帯型再生装置４００は、上述した携帯型再生装置３００のハードウェア構成に、表示処理部４０１とディスプレイ４０２とを追加したハードウェア構成でなる。
【０４１６】
すなわちこの携帯型再生装置４００は、入力デバイス３０１がユーザによって操作されると、入力デバイス３０１でこれを認識し、その操作に応じた操作入力信号を入力処理部３０２に送る。
【０４１７】
入力処理部３０２は、供給される操作入力信号を操作コマンドに変換して、これをバスを介してＣＰＵ３０３に送る。
【０４１８】
ＣＰＵ３０３は、ＲＯＭ（Read  Only  Memory）３０４又はフラッシュメモリ３０５に予め記憶されている各種プログラムロをバスを介してＲＡＭ（Random  Access  Memory）３０６にロードする。
【０４１９】
そしてＣＰＵ３０３は、ＲＡＭ３０６にロードした各種プログラムに従って全体を制御することで、入力処理部３０２から与えられる操作コマンドなどに応じた各種処理（上述した選択処理など）を実行する。
【０４２０】
具体的に言うと、ＣＰＵ３０３は、外部インタフェース３０７を介して接続された外部装置から転送される音楽データやその関連情報、アナウンス音声データなどの各種データを、フラッシュメモリ３０５に記憶させる。
【０４２１】
またＣＰＵ３０３は、入力処理部３０２から与えられる操作コマンドに応じてフラッシュメモリ３０５から音楽データやアナウンス音声データを読み出し、これらを音声処理部３０８に入力する。
【０４２２】
音声処理部３０８は、入力された音楽データやアナウンス音声データを再生処理した結果得られる音楽やアナウンス音声をイヤホン３０９を介して出力する。
【０４２３】
またＣＰＵ３０３は、再生中の音楽データの関連情報を表示処理部４０１に送ることで、この関連情報をディスプレイ４０２に表示させる。
【０４２４】
ところで、この携帯型再生装置４００も、上述したように、ＣＰＵ３０３がＲＯＭ３０４又はフラッシュメモリ３０５に予め記憶されている各種プログラムにしたがって各種処理を実行するようになっている。
【０４２５】
従って、携帯型再生装置２００の機能及び実行する処理に応じて、ＲＯＭ３０３又はフラッシュメモリ３０５に記憶させる各種プログラムを適宜選定することで、ＣＰＵ３０３を携帯型再生装置２００の制御部２１０と同様に機能させることができる。またＣＰＵ３０３を、携帯型再生装置２００の選択部２１３と同様に機能させることができる。
【０４２６】
さらに入力デバイス３０１及び入力処理部３０２を携帯型再生装置２００の操作部２１１と同様に機能させることができる。尚、ここでは、携帯型再生装置２００の操作部２１１と同様の操作が可能な入力デバイス３０１が選定されているとする。
【０４２７】
さらにフラッシュメモリ３０５を携帯型再生装置２００の記憶部２１２と同様に機能させることができる。さらに音声処理部３０８及びイヤホン３０９を携帯型再生装置２００の再生部２１４と同様に機能させることができる。さらに外部インタフェース部３０７を携帯型再生装置２００の外部接続部２１５と同様に機能させることができる。
【０４２８】
さらに表示処理部４０１及びディスプレイ４０２を携帯型再生装置２００の表示部２０５と同様に機能させることができる。
【０４２９】
従って、携帯型再生装置４００は、図２５に示すようなハードウェア構成で、機能構成でなる携帯型再生装置２００の各種機能を実現することができ、かくして、第２の実施の形態と同様の効果を得ることができる。
【０４３０】
また、この第３の実施の形態では、携帯型再生装置４００のＣＰＵ３０３がＲＯＭ３０４又はフラッシュメモリ３０５に予め記憶された各種プログラムにしたがって、各種処理を実行するようにした。
【０４３１】
本発明はこれに限らず、各種プログラムを、ＣＤやＤＶＤなどの記録媒体に記録しておき、ＣＰＵ３０３がこの記録媒体から各種プログラムを読み出して、各種処理を実行するようにしてもよい。
【０４３２】
この場合も、外部インタフェース３０７を介して接続されたドライブ（図示せず）により記録媒体から各種プログラムをＣＰＵ３０３が読み出すようにすればよい。また、各種プログラムをこの記録媒体からフラッシュメモリ３０５にインストールするようにしてもよい。
【０４３３】
（４）第４の実施の形態
次に、第４の実施の形態について説明する。この第４の実施の形態は、第１の実施の形態の携帯型再生装置２００による音声検索を、画像データを検索する場合のＧＵＩに適用した例である。
【０４３４】
（４−１）携帯型画像表示装置の外観構成
図２６（Ａ）において５００は、第４の実施の形態の携帯型画像表示装置の外観構成を示す。携帯型画像表示装置５００は、片手で把持し得る程度の大きさでなる略扁平矩形状の筐体５０１を有している。この筐体５０１の前面には、長方形状の表示部５０２が設けられている。この表示部５０２には、その表面を覆うようにタッチパネル５０３が設けられている。
【０４３５】
携帯型画像表示装置５００は、この表示部５０２に触れるようにしてユーザがタッチパネル５０３に触れると、これを操作入力として受け付け、各種命令に変換するようになっている。
【０４３６】
さらに筐体５０１の側面には、メモリカードＭｃのスロット５０４が設けられている。携帯型画像表示装置５００は、このスロット５０４に挿入されたメモリカードＭｃに記録されている画像データを読み出して、その画像データに基づく画像Ｐを表示部５０２に表示するようになっている。
【０４３７】
また携帯型画像表示装置５００は、この表示部５０２に、画像Ｐとは別に、携帯型再生装置１００の回転操作部１０２を真上から見たようなつまみ形状の操作アイコン（これをつまみアイコンとも呼ぶ）Ｏｉを表示するようになっている。
【０４３８】
このつまみアイコンＯｉは、図２６（Ｂ）に示すように、つまみアイコンＯｉを回すようなタッチ操作（これを回転操作とも呼ぶ）に応じて、所定の基準位置から例えば＋−９０度の範囲で回転できるようになっている。尚、ここでは、矢印Ｂ２０で示す半時計回り方向を＋方向、矢印Ｂ２１で示す時計回り方向を−方向とする。
【０４３９】
そしてこの携帯型画像表示装置５００は、このつまみアイコンＯｉに対する回転操作に応じて、メモリカードＭｃに記録されている画像データを順に選択して表示するようになっている。
【０４４０】
（４−２）携帯型画像表示装置の内部構成（機能構成）
次に携帯型画像表示装置５００の内部構成について説明する。図２７に示すように、携帯型画像表示装置５００は、表示部５０２と、制御部５１０と、記憶部５１１と、パラメータ出力部５１２と、選択部５１３と、操作部５１４とを有している。尚、記憶部５１１には、上述したスロット５０４及びメモリカードＭｃが含まれる。また操作部５１４には、上述したタッチパネル５０３が含まれる。
【０４４１】
このメモリカードＭｃには、画像データと共に、この画像データの関連情報が記録されている。この関連情報には、画像データに基づく画像の画像タイトル、撮影日時（年月日時分秒）などの属性情報が含まれている。
【０４４２】
さらに、この携帯型画像表示装置５００では、制御部５１０が、この関連情報をもとに、図２８に示すような階層構造の関連情報データベースＤｂｘを構築するようになっている。この関連情報データベースＤｂｘは、撮影日時の撮影年を最上位の階層として、その直下の階層に、各撮影年の撮影月を配した構造でなる。さらにこの関連情報データベースＤｂｘは、撮影月の直下の階層に、各撮影月の撮影日を配した構造でなる。さらにこの関連情報データベースＤｂｘは、各撮影日の直下の階層である最下位階層に、各撮影日に撮影された画像ファイルを配した構造でなる。
【０４４３】
またこの関連情報データベースＤｂｘの各階層はそれぞれソートできるようになっている。例えば、初期設定では、撮影年、撮影月、撮影日、画像データのそれぞれが撮影日時の新しい順にソートされる。
【０４４４】
つまり画像ファイルの全ては、この関連情報データベースＤｂｘにより、撮影年、撮影月、撮影日の順に区分されて撮影日時の新しい順に１列に並べられた状態である。
【０４４５】
さらに制御部５１０は、つまみアイコンＯｉが配されたＧＵＩ画面データを生成して、図２９（Ａ）に示すように、このＧＵＩ画面データに基づくＧＵＩ画面Ｇｓを表示部５０２に表示させる。さらに制御部５１０は、このＧＵＩ画面Ｇｓ上に、選択部５１３が選択した画像データに基づく画像Ｐを表示させる。
【０４４６】
くわえて、この携帯型画像表示装置５００は、つまみアイコンＯｉが回転操作されると、検索モードになり、画像データの検索を行うことができる。
【０４４７】
具体的に携帯型再生装置１００では、つまみアイコンＯｉが回転操作されると、この回転量を示すパラメータがパラメータ出力部５１２から出力され、このパラメータが制御部５１０及び選択部５１３に送られる。
【０４４８】
ここで、パラメータ出力部５１２は、図３０に示すように、つまみアイコンＯｉが基準位置にあるときには、パラメータとして「０」を出力し、つまみアイコンＯｉが＋９０度の位置にあるときには、パラメータとして「１３」を出力するようになっている。さらにパラメータ出力部１１３は、つまみアイコンＯｉが基準位置から＋９０度の間にあるときには、その回転量に応じて、パラメータとして「１」〜「１２」を出力するようになっている。
【０４４９】
つまりパラメータ出力部５１２は、つまみアイコンＯｉが＋方向に回転操作された場合、その回転量（０％（基準位置）〜１００％（＋９０度の位置））に応じて、「０」〜「１３」の１４段階のパラメータを出力するようになっている。
【０４５０】
またパラメータ出力部５１２は、つまみアイコンＯｉが−方向に回転操作された場合も同様に、その回転量（０％（基準位置）〜１００％（−９０度の位置））に応じて、「０」〜「１３」の１４段階のパラメータを出力するようになっている。
【０４５１】
尚、＋方向への回転と−方向への回転とを区別する為に、パラメータ出力部５１２は、例えば、＋方向への回転量を示すパラメータには＋の符号を、−方向への回転量を示すパラメータには−の符号を付して出力するようにもなっている。
【０４５２】
選択部５１３は、記憶部５１１に記憶された関連情報データベースＤｂｘを利用して、パラメータ出力部５１２から出力されたパラメータ（つまみアイコンＯｉの回転量）に応じて、選択対象（つまり検索範囲）を切り換えるようになっている。
【０４５３】
すなわち選択部５１３は、パラメータが「１」〜「５」であるときには、関連情報データベースＤｂｘに登録されている最下位階層の画像ファイルを選択対象として、ソートされている順に所定時間（例えば数秒）ごとに選択していく。
【０４５４】
ここで、関連情報データベースＤｂｘに登録されている画像ファイルは、撮影年、撮影月、撮影日の順に区分されて撮影日時の新しい順に１列に並べられた状態である。
【０４５５】
従って、選択部５１３は、このように１列に並べられた状態の画像ファイルを順に選択していく。尚、この場合の選択部５１３は、最後尾の画像ファイルの次が先頭の画像ファイルと認識するようになっている。
【０４５６】
このとき制御部５１０は、選択部５１３により選択された画像ファイルに基づく画像の縮小画像と、選択された画像ファイルの前後の画像ファイルに基づく画像の縮小画像とをＧＵＩ画面Ｇｓに表示する。このときのＧＵＩ画面Ｇｓを、図３１に示す。尚、制御部５１０も、最後尾の画像ファイルの次が先頭の画像ファイルと認識するようになっている。
【０４５７】
ＧＵＩ画面Ｇｓには、選択部５１３に選択された画像ファイルに基づく縮小画像Ｐｓ（ｎ）が中心の選択枠Ｆｒ内に表示される。さらにこのＧＵＩ画面Ｇｓには、縮小画像Ｐｓ（ｎ）の左隣に１つ前の縮小画像Ｐｓ（ｎ−１）が表示され、さらにその左隣に２つ前の縮小画像Ｐｓ（ｎ−２）の一部が表示される。
【０４５８】
さらに縮小画像Ｐｓ（ｎ）の右隣には、次の縮小画像Ｐｓ（ｎ＋１）が表示され、さらにその右隣にその次の縮小画像Ｐｓ（ｎ＋２）の一部が表示される。
【０４５９】
つまり、このときのＧＵＩ画面Ｇｓには、選択部５１３により選択された画像ファイルに基づく縮小画像Ｐｓ（ｎ）を中心として、その前後の縮小画像Ｐｓ（ｎ−２、ｎ−１、ｎ＋１、ｎ＋２）が横１列に並んだ状態で一覧表示される。
【０４６０】
そして、選択部５１３により選択される画像ファイルが次の画像ファイルに切り替わると、横１列に並んだ複数の縮小画像Ｐｓが左方向にスクロールして、選択枠Ｆｒ内に表示される画像Ｐｓ（ｎ）が、次の画像Ｐｓ（ｎ＋１）へと切り替わる。因みに、パラメータの値が大きいほど画像が切り替わる速度が速くなるようになっている。
【０４６１】
このように携帯型画像表示装置５００は、パラメータ出力部５１２から出力されるパラメータが「１」〜「５」の場合には、画像ファイルを順に選択しながら、選択した画像ファイルに基づく縮小画像とその前後の画像ファイルに基づく縮小画像とを表示していく。
【０４６２】
つまり、この場合の携帯型画像表示装置５００は、画像ファイルに基づく縮小画像を順に表示していくことで、所望の画像をユーザに検索させることができる。尚、このように、画像ファイルに基づく縮小画像を表示することで所望の画像を検索することを画像検索とも呼び、このとき携帯型画像表示装置５００は、検索モードでの画像検索モードであるとする。
【０４６３】
また選択部５１３は、パラメータが「６」〜「９」であるときには、その間、関連情報データベースＤｂｘに登録されている画像ファイルの上位階層である撮影日を選択対象として、ソートされている順に所定時間ごとに選択していく。
【０４６４】
このとき制御部５１０は、選択部５１３により選択された撮影日と、その前後の撮影日とをＧＵＩ画面Ｇｓに表示する。このときのＧＵＩ画面Ｇｓを、図３２に示す。
【０４６５】
ＧＵＩ画面Ｇｓには、選択部５１３に選択された撮影日（例えば「１０日」）が記された撮影日アイコンＤｉ（ｎ）が中心の選択枠Ｆｒ内に表示される。この撮影日アイコンＤｉ（ｎ）内には、その撮影日に区分された画像ファイル（つまりその撮影日に撮影された画像の画像ファイル）に基づく縮小画像Ｐｓが表示される。ここで、その撮影日に区分された画像ファイルが複数存在する場合、撮影日アイコンＤｉ（ｎ）内には、複数の縮小画像Ｐｓが横１列に右側から撮影時刻の早い順に並べて表示される。
【０４６６】
さらにこのＧＵＩ画面Ｇｓには、撮影日アイコンＤｉ（ｎ）の左隣に１つ前の撮影日（例えば「２０日」）が記された撮影日アイコンＤｉ（ｎ−１）の少なくとも一部が表示される。この撮影日アイコンＤｉ（ｎ−１）内にも、その撮影日に区分された画像ファイルに基づく縮小画像Ｐｓが表示される。ここで、その撮影日に区分された画像ファイルが複数存在する場合、撮影日アイコンＤｉ（ｎ−１）内には、それぞれの縮小画像Ｐｓが横１列に右側から撮影時刻の速い順に並べて表示される。
【０４６７】
さらにこのＧＵＩ画面Ｇｓには、撮影日アイコンＤｉｎの右隣に次の撮影日（例えば「６日」）が記された撮影日アイコンＤｉ（ｎ＋１）の一部が表示される。この撮影日アイコンＤｉ（ｎ＋１）内にも、その撮影日に区分された画像ファイルに基づく縮小画像Ｐｓが表示される。ここでも、その撮影日に区分された画像ファイルが複数存在する場合、撮影日アイコンＤｉ（ｎ＋１）内には、それぞれの縮小画像Ｐｓが横１列に左側から撮影時刻の遅い順に並べて表示される。
【０４６８】
つまり、このときのＧＵＩ画面Ｇｓには、選択部５１３により選択された撮影日が記された撮影日アイコンＤｉ（ｎ）を中心として、その前後の撮影日のそれぞれが記された撮影日アイコンＤｉ（ｎ−１、ｎ＋１）が横１列に並んだ状態で一覧表示される。
【０４６９】
またこのときのＧＵＩ画面Ｇｓには、選択部５１３により選択された撮影日に区分された画像ファイルに基づく縮小画像Ｐｓと、その前後の撮影日に区分された縮小画像Ｐｓとが横１列に並んだ状態で一覧表示される。
【０４７０】
そして、選択部５１３により選択される撮影日が次の撮影日に切り替わると、横１列に並んだ複数の撮影日アイコンＤｉが左方向にスクロールして、選択枠Ｆｒ内に表示される撮影日アイコンＤｉ（ｎ）が、次の撮影日アイコンＤｉ（ｎ＋１）へと切り替わる。因みに、パラメータの値が大きいほど撮影日が切り替わる速度が速くなるようになっている。
【０４７１】
このように携帯型画像表示装置５００は、パラメータ出力部５１２から出力されるパラメータが「６」〜「９」の場合には、撮影日を順に選択しながら、選択した撮影日と前後の撮影日とを、それぞれの撮影日に撮影された画像（縮小画像Ｐｓ）と共に表示していく。
【０４７２】
つまり、この場合の携帯型画像表示装置５００は、撮影日を、その撮影日に撮影された画像（縮小画像Ｐｓ）と共に順に表示していくことで、所望の撮影日をユーザに検索させることができる。尚、このように、撮影日を、その撮影日に撮影された画像（縮小画像Ｐｓ）と共に表示することで所望の撮影日を検索することを撮影日検索とも呼び、このとき携帯型画像表示装置５００は、検索モードでの撮影日検索モードであるとする。
【０４７３】
さらに選択部５１３は、パラメータが「１０」〜「１２」であるときには、その間、関連情報データベースＤｂｘに登録されている撮影日の上位階層である撮影月を選択対象として、ソートされている順に所定時間ごとに選択していく。
【０４７４】
このとき制御部５１０は、選択部５１３により選択された撮影月と、その前後の撮影月とをＧＵＩ画面Ｇｓに表示する。このときのＧＵＩ画面Ｇｓを、図３３に示す。
【０４７５】
ＧＵＩ画面Ｇｓには、選択部５１３に選択された撮影月（例えば「８月」）が記された撮影月アイコンＭｉ（ｎ）が中心の選択枠Ｆｒ内に表示される。この撮影月アイコンＭｉ（ｎ）内には、その撮影月に区分された撮影日（つまりその撮影月で画像を撮影した日）が記された撮影日アイコンＤｉが表示される。ここで、その撮影月に区分された撮影日が複数存在する場合、撮影月アイコンＭｉ（ｎ）内には、それぞれの撮影日アイコンＤｉが横１列に右側から撮影日の早い順に並べて表示される。
【０４７６】
さらにこのＧＵＩ画面Ｇｓには、撮影月アイコンＭｉ（ｎ）の左隣に１つ前の撮影月が記された撮影月アイコンＭｉ（ｎ−１）の少なくとも一部が表示される。この撮影月アイコンＭｉ（ｎ−１）内にも、その撮影月に区分された撮影日が記された撮影日アイコンＤｉが表示される。ここで、その撮影月に区分された撮影日が複数存在する場合、撮影月アイコンＭｉ（ｎ−１）内には、それぞれの撮影日アイコンＤｉが横１列に右側から撮影日の速い順に並べて表示される。
【０４７７】
さらにこのＧＵＩ画面Ｇｓには、撮影月アイコンＭｉ（ｎ）の右隣に次の撮影月が記された撮影月アイコンＭｉ（ｎ＋１）の少なくとも一部が表示される。この撮影月アイコンＭｉ（ｎ＋１）内にも、その撮影月に区分された撮影日が記された撮影日アイコンＤｉが表示される。ここで、その撮影月に区分された撮影日が複数存在する場合、撮影月アイコンＭｉ（ｎ＋１）内には、それぞれの撮影日アイコンＤｉが横１列に左側から撮影日の遅い順に並べて表示される。
【０４７８】
つまり、このときのＧＵＩ画面Ｇｓには、選択部５１３により選択された撮影月が記された撮影月アイコンＭｉ（ｎ）を中心として、その前後の撮影月のそれぞれが記された撮影月アイコンＭｉ（ｎ−１、ｎ＋１）が横１列に並んだ状態で一覧表示される。
【０４７９】
またこのときのＧＵＩ画面Ｇｓには、選択部５１３により選択された撮影月に区分された撮影日が記された撮影日アイコンＤｉと、その前後の撮影月のそれぞれに区分された撮影日が記された撮影日アイコンＤｉとが横１列に並んだ状態で一覧表示される。尚、ここでは、撮影日アイコンＤｉの横幅が、その撮影日に撮影された画像の数が多いほど長くなるようになっている。こうすることで、その撮影日にどれくらい画像を撮影したのかをユーザに容易に認識させることができる。
【０４８０】
そして、選択部５１３により選択される撮影月が次の撮影月に切り替わると、横１列に並んだ複数の撮影月アイコンＭｉが左方向にスクロールして、選択枠Ｆｒ内に表示される撮影月アイコンＭｉ（ｎ）が、次の撮影月アイコンＭｉ（ｎ＋１）へと切り替わる。因みに、パラメータの値が大きいほど撮影月が切り替わる速度が速くなるようになっている。
【０４８１】
このように携帯型画像表示装置５００は、パラメータ出力部５１２から出力されるパラメータが「１０」〜「１２」の場合には、撮影月を順に選択しながら、選択した撮影月とその前後の撮影月とを、それぞれの撮影月での撮影日と共に表示していく。
【０４８２】
つまり、この場合の携帯型画像表示装置５００は、撮影月を、その撮影月での撮影日と共に順に表示していくことで、所望の撮影月をユーザに検索させることができる。尚、このように、撮影月を、その撮影月での撮影日と共に表示することで所望の撮影月を検索することを撮影月検索とも呼び、このとき携帯型画像表示装置５００は、検索モードでの撮影月検索モードであるとする。
【０４８３】
さらに選択部５１３は、パラメータが「１３」であるときには、その間、関連情報データベースＤｂｘに登録されている撮影月の上位階層である撮影年を選択対象として、ソートされている順に所定時間ごとに選択していく。
【０４８４】
このとき制御部５１０は、選択部５１３により選択された撮影年と、その前後の撮影年とをＧＵＩ画面Ｇｓに表示する。このときのＧＵＩ画面Ｇｓを、図３４に示す。
【０４８５】
ＧＵＩ画面Ｇｓには、選択部５１３に選択された撮影年（例えば「２００７」）が記された撮影月アイコンＹｉ（ｎ）が中心の選択枠Ｆｒ内に表示される。この撮影年アイコンＹｉ（ｎ）内には、その撮影年に区分された撮影月（つまりその撮影年で画像を撮影した月）が記された撮影月アイコンＭｉが表示される。ここで、その撮影年に区分された撮影月が複数存在する場合、撮影年アイコンＹｉ（ｎ）内には、複数の撮影月アイコンＭｉが横１列に右側から撮影月の早い順に並べて表示される。
【０４８６】
さらにこのＧＵＩ画面Ｇｓには、撮影年アイコンＹｉ（ｎ）の左隣に１つ前の撮影年が記された撮影年アイコンＹｉ（ｎ−１）の少なくとも一部が表示される。この撮影年アイコンＹｉ（ｎ−１）内にも、その撮影年に区分された撮影月が記された撮影月アイコンＭｉが表示される。ここで、その撮影年に区分された撮影月が複数存在する場合、撮影年アイコンＹｉ（ｎ−１）内には、複数の撮影月アイコンＭｉが横１列に右側から撮影月の遅い順に並べて表示される。
【０４８７】
さらにこのＧＵＩ画面Ｇｓには、撮影年アイコンＹｉ（ｎ）の右隣に次の撮影年が記された撮影年アイコンＹｉ（ｎ＋１）の少なくとも一部が表示される。この撮影年アイコンＹｉ（ｎ＋１）内にも、その撮影年に区分された撮影月が記された撮影月アイコンＭｉが表示される。ここで、その撮影年に区分された撮影月が複数存在する場合、撮影年アイコンＹｉ（ｎ＋１）内には、複数の撮影月アイコンＭｉが横１列に左側から撮影月の遅い順に並べて表示される。
【０４８８】
つまり、このときのＧＵＩ画面Ｇｓには、選択部５１３により選択された撮影年が記された撮影年アイコンＹｉ（ｎ）を中心として、その前後の撮影年のそれぞれが記された撮影年アイコンＹｉ（ｎ−１、ｎ＋１）が横１列に並んだ状態で一覧表示される。
【０４８９】
またこのときのＧＵＩ画面Ｇｓには、選択部５１３により選択された撮影年に区分された撮影月が記された撮影月アイコンＭｉと、その前後の撮影年のそれぞれに区分された撮影月が記された撮影月アイコンＭｉとが横１列に並んだ状態で一覧表示される。尚、ここでは、撮影月アイコンＭｉの横幅が、その撮影月に撮影された画像の数が多いほど長くなるようになっている。こうすることで、その撮影月にどれくらい画像を撮影したのかをユーザに容易に認識させることができる。
【０４９０】
そして、選択部５１３により選択される撮影年が次の撮影年に切り替わると、横１列に並んだ複数の撮影年アイコンＹｉが左方向にスクロールして、選択枠Ｆｒ内に表示される撮影年アイコンＹｉ（ｎ）が、次の撮影年アイコンＹｉ（ｎ＋１）へと切り替わる。
【０４９１】
このように携帯型画像表示装置５００は、パラメータ出力部５１２から出力されるパラメータが「１３」の場合には、撮影年を順に選択しながら、選択した撮影年とその前後の撮影年とを、それぞれの撮影年での撮影月と共に表示していく。
【０４９２】
つまり、この場合の携帯型画像表示装置５００は、撮影年を、その撮影年での撮影月と共に順に表示していくことで、所望の撮影年をユーザに検索させることができる。尚、このように、撮影年を、その撮影年での撮影月と共に表示することで所望の撮影年を検索することを撮影年検索とも呼び、このとき携帯型画像表示装置５００は、検索モードでの撮影年検索モードであるとする。
【０４９３】
その後、携帯型画像表示装置５００は、つまみアイコンＯｉが基準位置に戻されると（つまりパラメータ出力部５１２から出力されるパラメータが「０」になると）、検索モードから通常再生モードに戻る。
【０４９４】
このとき選択部５１３は、通常再生モードになる直前に、画像ファイルを選択していた場合、引き続きその画像ファイルを選択する。このとき制御部５１０は、図２９に示したように、その画像ファイルに基づく画像Ｐを表示部５０２に表示させる。
【０４９５】
また選択部５１３は、通常再生モードになる直前に、撮影日を選択していた場合、その撮影日に区分されている画像ファイルのうちの１つ（例えば撮影時刻が一番新しい画像ファイル）を選択する。
【０４９６】
さらに選択部５１３は、通常再生モードになる直前に、撮影月を選択していた場合、その撮影月に区分されている画像ファイルのうちの１つ（例えば撮影時刻が一番新しい画像ファイル）を選択する。
【０４９７】
さらに選択部５１３は、通常再生モードになる直前に、撮影年を選択していた場合、その撮影年に区分されている画像ファイルのうちの１つ（例えば撮影時刻が一番新しい画像ファイル）を選択する。
【０４９８】
そしてこのとき制御部５１０は、選択部５１３により選択された画像ファイルに基づく画像Ｐを表示部５０２に表示させる。
【０４９９】
このように携帯型画像表示装置５００は、回転操作部１０２が基準位置に戻されることにより、画像検索モードから通常再生モードに移ると、移る直前に選択していた撮影年、撮影月、撮影日に対応する画像データを再生するようになっている。
【０５００】
こうすることで携帯型画像表示装置５００は、検索モードでの撮影年検索、撮影月検索、撮影日検索、画像検索により所望の画像データを見付けたユーザに対して、直ちにその画像データに基づく画像を閲覧させることができる。
【０５０１】
このように携帯型画像表示装置５００では、つまみアイコンＯｉを回転させる単一の操作でありながら、その回転量によって撮影年検索モードと、撮影月検索モードと、撮影日検索モードと、画像検索モードとを切り替えながら音楽データを検索することができる。
【０５０２】
このとき携帯型画像表示装置５００は、つまみアイコンＯｉの回転量が多くなるほど撮影年検索のように大まかな検索、少なくなるほど画像検索のように細かな検索を行うことができるので、より直感的な検索操作をユーザに提供することができる。
【０５０３】
また携帯型画像表示装置５００は、どの撮影年、どの撮影月、どの撮影日、どの画像を選択しているのかをＧＵＩで認識させることができるので、何を選択しているのかをユーザに容易に認識させることができる。
【０５０４】
このようにして、この第４の実施の形態では、第１の実施の形態と同様の携帯型再生装置２００による音声による検索を、ＧＵＩにより実現した。これにより、この第４の実施の形態の携帯型画像表示装置５００は、第１の実施の形態の携帯型再生装置１００と同様の効果をＧＵＩによって得ることができる。
【０５０５】
尚、各検索モード間の切り替えについては、第１の実施の形態での音声検索と技術的に同様であるので、第１の実施の形態を参照とする。すなわち、例えば、撮影年検索モードで或る撮影年を選択している状態から、撮影月検索モードに移った場合、直前に選択していた撮影年に区分された撮影月の１つ（例えば）が選択されるようになっている。また撮影月検索モードで或る撮影月を選択している状態から、撮影年検索モードに移った場合、直前に選択していた撮影月を含んだ撮影年が選択された状態になっている。
【０５０６】
こうすることで、携帯型画像表示装置５００は、ユーザに、所望の撮影年の検索から、所望の撮影年に区分された撮影月の検索へというように、スムーズに検索対象を切り換えながら検索を行わせることができる。
【０５０７】
尚、ここでは、つまみアイコンＯｉの操作に応じて、検索対象を切り替えるようにした。これに限らず、例えば、図２９（Ｂ）、図３１（Ｂ）〜図３４（Ｂ）に示すように、つまみアイコンＯｉの代わりに、スライドバーＳｂを表示するようにして、このスライドバーＳｂの操作に応じて、検索対象を切り替えるようにしてもよい。
【０５０８】
このスライドバーＳｂは、スライドバーＳｂをスライドさせるようなタッチ操作（これをスライド操作とも呼ぶ）に応じて、所定の基準位置から例えば左右所定距離の範囲内でスライドできるようになっている。尚、ここでは、右方向を＋方向、左方向を−方向とする。そしてこの場合、パラメータ出力部５１２は、スライドバーＳｂのスライド量に応じたパラメータを出力する。
【０５０９】
（５）第５の実施の形態
次に第５の実施の形態について説明する。この第５の実施の形態では、上述した第４の実施の形態の携帯型画像表示装置５００をハードウェア構成により実現した例である。
【０５１０】
図３５に示す携帯型画像表示装置６００は、上述した第４の実施の形態の機能構成の携帯型画像表示装置５００をハードウェア構成により実現した例である。
【０５１１】
この携帯型画像表示装置６００は、入力デバイス６０１がユーザによって操作されると、入力デバイス６０１でこれを認識し、その操作に応じた操作入力信号を入力処理部６０２に送る。
【０５１２】
入力処理部６０２は、供給される操作入力信号を操作コマンドに変換して、これをバスを介してＣＰＵ６０３に送る。
【０５１３】
ＣＰＵ６０３は、フラッシュメモリ６０４に予め記憶されている各種プログラムをバスを介してＲＡＭ６０５にロードする。
【０５１４】
そしてＣＰＵ６０３は、ＲＡＭ６０５にロードした各種プログラムに従って全体を制御することで、入力処理部６０２から与えられる操作コマンドなどに応じた各種処理（上述したＧＵＩの表示処理など）を実行する。
【０５１５】
具体的に言うと、ＣＰＵ６０３は、入力処理部６０２から与えられる操作コマンドに応じて、メモリカードインタフェース６０６に接続されたメモリカード６０７から画像データを読み出し、これらを画像処理部６０８に入力する。
【０５１６】
画像処理部６０８は、入力された画像データを再生処理した結果得られる画像をディスプレイ６０９に表示させる。
【０５１７】
ところで、この携帯型画像表示装置６００は、上述したように、ＣＰＵ６０３がフラッシュメモリ６０４に予め記憶されている各種プログラムにしたがって各種処理を実行するようになっている。
【０５１８】
従って、携帯型画像表示装置５００の機能に応じて、フラッシュメモリ６０４に記憶させる各種プログラムを適宜選定することで、ＣＰＵ６０３を携帯型画像表示装置５００の制御部５１０と同様に機能させることができる。またＣＰＵ６０３を、携帯型画像表示装置５００の選択部５１３と同様に機能させることができる。
【０５１９】
さらに入力デバイス６０１及び入力処理部６０２を携帯型画像表示装置５００の操作部５１４と同様に機能させることができる。尚、ここでは、携帯型画像表示装置６００の操作部５１４と同様の操作が可能な入力デバイス６０１が選定されているとする。
【０５２０】
さらにメモリカード６０７を携帯型画像表示装置５００の記憶部５１１と同様に機能させることができる。さらに画像処理部６０８を携帯型画像表示装置５００の制御部５１０と同様に機能させることができる。さらにディスプレイ６０９を携帯型画像表示装置５００の表示部５０２と同様に機能させることができる。
【０５２１】
従って、携帯型画像表示装置６００は、図３５に示すようなハードウェア構成で、機能構成でなる携帯型画像表示装置５００の各種機能を実現することができ、かくして、第４の実施の形態と同様の効果を得ることができる。
【０５２２】
また、この第５の実施の形態では、携帯型再生装置６００のＣＰＵ６０３がフラッシュメモリ６０４に予め記憶された各種プログラムにしたがって、各種処理を実行するようにした。
【０５２３】
本発明はこれに限らず、各種プログラムを、メモリカード６０７などの記録媒体に記録しておき、ＣＰＵ６０３がこの記録媒体から各種プログラムを読み出して、各種処理を実行するようにしてもよい。
【０５２４】
また、各種プログラムをこのメモリカード６０７からフラッシュメモリ６０４にインストールするようにしてもよい。
【０５２５】
（６）他の実施の形態
（６−１）他の実施の形態１
尚、上述した第１の実施の形態では、具体的な例として、音楽データの再生機能を有する携帯型再生装置１００について述べた。これに限らず、例えば、図３６に示すように、携帯型再生装置１００と同様の再生制御が可能な再生装置ＰＬと、携帯型再生装置１００の回転操作部１０２を有するリモートコントローラＲＭとからなる再生システム７００に適用することもできる。
【０５２６】
この場合、リモートコントローラＲＭには、図３７に示すように、携帯型再生装置１００と同様の操作部１１１及びパラメータ出力部１１３にくわえて、送信部７０１を設けるようにする。そして、このリモートコントローラＲＭが、パラメータ出力部１１３から出力されたパラメータを送信部７０１から再生装置ＰＬに送信するようにする。
【０５２７】
一方、再生装置ＰＬには、携帯型再生装置１００と同様の制御部１１０、記憶部１１２、選択部１１４、再生部１１５及び外部接続部１１６にくわえて、受信部７０２を設けるようにする。そしてこの再生装置ＰＬが、リモートコントローラＲＭから送信されるパラメータを受信部７０２で受信して、このパラメータに応じて、携帯型再生装置１００と同様の再生制御を行うようにする。
【０５２８】
こうすることで、このような再生システム７００でも、第１の実施の形態と同様の効果を得ることができる。
【０５２９】
因みに、リモートコントローラＲＭと再生装置ＰＬとの通信は、赤外線や無線ＬＡＮなどによる無線であってもよいし、ケーブルなどによる有線であってもよい。
【０５３０】
また、リモートコントローラＲＭに、音声出力部を設け、再生装置ＰＬから、音楽データを再生した結果得られる音声信号を送信するようにして、リモートコントローラＲＭで音楽を聞けるようにしてもよい。
【０５３１】
（６−２）他の実施の形態２
また、上述した第１の実施の形態では、アーティスト名の切り替わり時に次のアーティスト名を、アルバムタイトルの切り替わり時に、次のアルバムタイトルをアナウンスするようにした。
【０５３２】
そして、このようなアナウンスを実現する為に、アーティスト名をアナウンスする為のアナウンス音声データ及びアルバムタイトルをアナウンスする為のアルバムタイトル音声データを予め関連情報に含めるようにした。
【０５３３】
これに限らず、例えば、文字データを音声データに変換する文字音声変換部を携帯型再生装置１００に設け、この文字音声変換部で、関連情報に含まれているアーティスト名やアルバムタイトルをアナウンス音声データに変換するようにしてもよい。
【０５３４】
この場合、文字音声変換部の処理速度に余裕があれば、アーティスト名やアルバムタイトルの切り替わり時に、その都度、アーティスト名やアルバムタイトルをアナウンス音声データに変換して再生するようにしてもよい。また、関連情報を取得したときに、アナウンス音声データを生成して記憶部１１２に記憶し、以降、記憶部１１２から読み出して再生するようにしてもよい。
【０５３５】
このようにすれば、関連情報にアナウンス音声データを含めずに済み、結果として、既存の関連情報（つまりアナウンス音声データを含まない関連情報）を利用できる。
【０５３６】
さらに「次のアーティストです」や「次のアルバムです」と言うような汎用的なアナウンスをする為のアナウンス音声データを予め記憶部１１２に記憶しておき、アーティスト名やアルバムタイトルの切り替え時に、このアナウンス音声データを再生するようにしてもよい。
【０５３７】
このようにすれば、アーティスト名音声データやアルバムタイトル音声データがない場合でも、アーティスト名の切り替わりや、アルバムタイトルの切り替わりをユーザに通知することができる。
【０５３８】
さらに、アーティスト名の切り替わり時やアルバムタイトルの切り替わり時だけでなく、トラックの切り替わり時に、次のトラックの曲タイトルをアナウンスするようにしてもよい。
【０５３９】
この場合、関連情報に、曲タイトルをアナウンスする為の曲タイトル音声データを含めるようにしてもよいし、文字音声変換部で、関連情報に含まれる曲タイトルを音声変換することで、曲タイトル音声データを生成するようにしてもよい。
【０５４０】
さらに、サビ検索モード時に、トラックのサビ部分を再生する代わりに、この曲タイトル音声データを再生するようにしてもよい。さらに、サビ検索モード時に限らず、通常再生モード時でも、例えば任意のプレイリストに従ってトラックを順に再生する場合に、アーティスト名の切り替わり時やアルバムタイトルの切り替わり時に、対応するアナウンス音声データを再生するようにしてもよい。尚、第２の実施の形態に対しても同様である。
【０５４１】
（６−３）他の実施の形態３
さらに、上述した第１の実施の形態では、図１５に示したように、サビ検索モード時、アナウンス音声データ（Ｅｆｆｅｃｔ２）の再生が終了する前に、アルバムの全トラックのサビ再生が終了することのないよう、サビ部分を繰り返し再生するようにした。
【０５４２】
これに限らず、図３８（Ａ）に示すように、アナウンス音声データの再生中に、アルバムの最終トラックのサビ部分の終わりまで再生したら、引き続き、最終トラックのサビ部分以降を、アナウンス音声データの再生が終了するまで再生するようにしてもよい。
【０５４３】
またこれに限らず、アナウンス音声データの再生開始から終了まで、そのアナウンス音声データに対応するアルバムに区分されたトラックの１つを繰り返し再生するようにしてもよい。
【０５４４】
例えば、或るアーティスト名の或るアルバムタイトルに切り替わる場合、携帯型再生装置１００の選択部１１４がこのアルバムタイトルに区分されたトラックのうちの再生回数が最も多いトラックを選択する。すると再生部１１５が、或るアーティスト名の或るアルバムタイトルをアナウンスすると共に、選択部１１４に選択された再生回数が最も多いトラックをこのアナウンスが終了するまで再生する。
【０５４５】
尚、このとき選択部１１４が選択するトラックは、再生回数が最も多いトラックに限らず、例えば、予め関連情報にアルバムの代表曲として指定されているトラックであってもよいし、アルバムに収録されたトラックからランダムに選択したトラックであってもよい。またアルバムに収録されたトラックのうちの１番最近再生されたトラックであってもよい。
【０５４６】
またアルバムから選択部１１４が選択するトラックは、１つであってもよいし、複数（例えば予め設定された数）であってもよい。複数選択する場合には、例えば、再生回数が多いものから順に複数選択してもよいし、再生された日付が新しい順に複数選択するなどしてもよい。尚、第２の実施の形態に対しても同様である。
【０５４７】
（６−４）他の実施の形態４
さらに、上述した第１の実施の形態では、図１５に示したように、例えば、アルバムタイトルの切り替わり時に、その切り替わりを通知する為の効果音データ（Ｅｆｆｅｃｔ１）を再生してから、次のアルバムタイトルに区分されたトラックのサビ部分の再生を開始するようにした。
【０５４８】
これに限らず、例えば、図３８（Ｂ）に示すように、効果音データ（Ｅｆｆｅｃｔ１）の再生と共に、トラックのサビ部分の再生を開始するようにしてもよい。尚、第２の実施の形態に対しても同様である。
【０５４９】
（６−５）他の実施の形態５
さらに、上述した第１の実施の形態では、携帯型再生装置１００が、音楽データを、イニシャル、アーティスト名、アルバムタイトルの単位の順で区分するようにした。本発明はこれに限らず、音楽データの関連情報を利用して、この他種々の区分（つまり単位）で、音楽データを区分するようにしてもよい。
【０５５０】
例えば、ジャンル、アーティスト名、アルバムタイトルの順で区分してもよいし、アルバムタイトルのみで区分するようにしてもよいし、アルバム発売年、アルバムタイトルの順で区分するなどしてもよい。
【０５５１】
また各区分でのソートを変えてもよい。例えば、各アルバムタイトルに区分されたトラックを、トラック番号順ではなく、曲タイトルのアルファベット順や、再生回数の多い順にソートするようにしてもよい。
【０５５２】
そして、このような種々の区分及びソートの組み合わせを、関連情報データベースＤｂに反映さることで、携帯型再生装置１００は、その組み合わせに応じた検索を行うことができる。
【０５５３】
また、これに限らず、携帯型再生装置１００の記憶部１１２に、区分及びソートの組み合わせパターンを予め複数種類記憶させておき、これらのなかから選択した組み合わせパターンを用いて、検索を行うようにしてもよい。
【０５５４】
この場合、例えば、図３９に示すように、携帯型再生装置１００の筐体１０１に組み合わせパターンを切り替える為の切替ボタン８００を別途設け、この切替ボタン８００が押下されるごとに、組み合わせパターンを切り替えていくようにしてもよい。
【０５５５】
（６−６）他の実施の形態６
さらに、上述した第１の実施の形態では、図１１に示したように、サビ検索モードから、通常再生モードに移ると、サビ検索モードでサビ再生していたトラックを、サビ再生していた部分に続けて通常再生するようにした。
【０５５６】
これに限らず、通常再生モードに移ると、一旦、サビ再生していたトラックの再生を終了して、通常再生モードに移ったことを通知する為の効果音データを再生した後、サビ再生していたトラックを、その先頭位置から再生し直すようにしてもよい。
【０５５７】
（６−７）他の実施の形態７
さらに、上述した第１の実施の形態では、回転操作部１０２が回転されると、ｓｅａｒｃｈ＿ｄｌｙにより指定される待機時間内に、回転操作部１０２が基準位置に戻らなかった場合に、その回転を音声検索モードに関わる操作として受け付けるようにした。
【０５５８】
これに限らず、例えば、待機時間内に、回転操作部１０２が基準位置に戻された場合には、曲送り（又は曲戻し）の操作として受け付けるようにしてもよい。
【０５５９】
例えば、携帯型再生装置１００が、通常再生モードにおいて、待機時間内に、回転操作部１０２が＋方向に所定量（例えば４５度以上）まで回転され基準位置に戻されたとする、すると携帯型再生装置１００は、選択中の音楽データを次の音楽データに切り替える（つまり次のトラックを選択する）。
【０５６０】
このようにすれば、回転操作部１０２の回転操作だけで、曲送り（又は曲戻し）の操作も実現することができる。
【０５６１】
（６−８）他の実施の形態８
さらに、上述した第１の実施の形態では、回転操作部１０２の回転量を、１４段階のパラメータで示すようにした。本発明はこれに限らず、１５段階以上のパラメータでより細かく回転量を示すようにしてもよいし、１３段階以下のパラメータでより大まかに回転量を示すようにしてもよい。
【０５６２】
さらに、上述した第１の実施の形態では、パラメータの範囲に応じて切り替わる、サビ検索モードと、アーティスト検索モードと、イニシャル検索モードとを設けるようにした。これに限らず、例えば、サビ検索モードと、アーティスト検索モードだけにしてもよいし、別途アルバム検索モードを設けるなどしてもよい。
【０５６３】
ここで、例えば、パラメータが「６」〜「９」である場合を、アルバム検索モードに設定したとする。このアルバム検索モード時、選択部１１４は、アルバムタイトルを順に選択していく。そしてこのとき再生部１１５は、選択部１１４に選択されたアルバムタイトルに対応するアルバムタイトル音声データを再生する。
【０５６４】
尚、このとき再生部１１５が、サビ検索モード時よりも短い間隔で、選択部１１４により選択されたアルバムタイトルに区分されたトラックのサビ部分を再生していくようにしてもよい。また、このとき再生部１１５が、アルバムの代表曲のトラックを再生するようにしてもよい。また、このアルバムタイトルから再生回数の多い順に数曲ずつ選択して、その曲のトラックのサビ部分を再生していくようにしてもよい。尚、第２の実施の形態についても同様である。
【０５６５】
さらに、再生部１１５が、アーティスト検索モード時に、アルバム検索モード時よりも短い間隔で、選択部１１４により選択されたアーティストに区分されたトラックのサビ部分を再生していくようにしてもよい。
【０５６６】
この場合、再生部１１５が、例えば、各アルバムから代表曲を数曲づつ選択して、その曲のトラックのサビ部分を再生していくようにしてもよい。また、各アルバムから再生回数の多い順に数曲ずつ選択して、その曲のトラックのサビ部分を再生していくようにしてもよい。
【０５６７】
（６−９）他の実施の形態９
さらに、上述した第１の実施の形態では、図５に示したように、効果音データの再生音量を調整する為の設定値であるＳｅａｒｃｈ＿ｆｘ＿ｖｏｌｕｍｅをサビ検索モード時のみ有効とした。これに限らず、このＳｅａｒｃｈ＿ｆｘ＿ｖｏｌｕｍｅをアーティスト検索モード及びイニシャル検索モードでも有効にしてもよい。
【０５６８】
この場合、例えば、パラメータが「１」〜「１３」へと大きくなるにつれて再生音量が大きくなるように設定する。
【０５６９】
また上述した設定値以外の設定値を記憶部１１２に記憶しておくようにしてもよい。例えば、効果音データの音程の高さを示す設定値（これをｓｅａｒｃｈ＿ｆｘ＿ｔｕｎｅとも呼ぶ）を記憶しておくようにしてもよい。このｓｅａｒｃｈ＿ｆｘ＿ｔｕｎｅは、パラメータが大きくなるにつれて（つまり検索速度が上がるにつれて）、効果音データの音程が高くなるように設定されている。
【０５７０】
再生部１１５は、このｓｅａｒｃｈ＿ｆｘ＿ｔｕｎｅに指定される高さの音程で、効果音データを再生する。
【０５７１】
また、アナウンス音声データの再生速度を示す設定値（これをｓｅａｒｃｈ＿ｐｌａｙ＿ｓｐｅｅｄとも呼ぶ）を記憶しておくようにしてもよい。このｓｅａｒｃｈ＿ｐｌａｙ＿ｓｐｅｅｄは、パラメータが大きくなるにつれて、アナウンス音声データの再生速度が速くなるように設定されている。
【０５７２】
再生部１１５は、このｓｅａｒｃｈ＿ｐｌａｙ＿ｓｐｅｅｄに指定される速さでアナウンス音声データを再生する。因みに、この場合、アナウンス音声データの無音部分を切り詰めることで、再生速度を変えるようにしてもよい。また、予めアナウンスの読み上げ速度が異なる複数のアナウンス音声データを用意しておき、ｓｅａｒｃｈ＿ｐｌａｙ＿ｓｐｅｅｄに指定される速さに応じたアナウンス音声データを再生することで、再生速度を変えるようにしてもよい。
【０５７３】
また、サビ部分の再生開始位置を示す設定値（これをｓｅａｒｃｈ＿ｐｌａｙ＿ｓｔａｒｔ＿ｔｉｍｅとも呼ぶ）を記憶しておくようにしてもよい。このｓｅａｒｃｈ＿ｐｌａｙ＿ｓｔａｒｔ＿ｔｉｍｅは、パラメータが大きくなるにつれて、サビ部分の再生開始位置が後方にずれるように設定されている。
【０５７４】
再生部１１５は、このｓｅａｒｃｈ＿ｐｌａｙ＿ｓｔａｒｔ＿ｔｉｍｅに指定される時間だけ、サビ部分の再生開始位置を関連情報に含まれているサビ開始位置からずらして再生する。
【０５７５】
尚、このようにサビ部分の再生開始位置を後方にずらすことで、サビ部分の再生時間が短くなっても、サビ部分の主要部分（例えばヴォーカルが入る部分）を確実に再生することができる。
【０５７６】
（６−１０）他の実施の形態１０
さらに上述した第４の実施の形態では、表示部５０２につまみアイコンＯｉを表示するようにした。さらに、図４０に示すように、このつまみアイコンＯｉ内に、そのときのモードを示す番号を表示するようにしてもよい。
【０５７７】
具体的には、例えば、通常再生モードのときには、つまみアイコンＯｉ内に、番号「０」を表示するようにする。そして、画像検索モードのときには、番号「１」、撮影日検索モードのときには、番号「２」、撮影月検索モードのときには、番号「３」、撮影年検索モードのときには、番号「４」を表示するようにする。
【０５７８】
このようにすれば、現在のモードと、モードが移ったのかどうかを、容易にユーザに認識させることができる。
【０５７９】
（６−１１）他の実施の形態１１
さらに上述した第１の実施の形態では、トラックのサビ部分と、アナウンスとをミキシングして再生するようにした。これに限らず、例えば、トラックのサビ部分をステレオ音声の左チャンネルから再生して、アナウンスを右チャンネルから再生するなどしてもよい。尚、第２の実施の形態についても同様である。
【０５８０】
（６−１２）他の実施の形態１２
さらに上述した第１乃至第５の実施の形態では、ユーザの操作により所定の範囲内で変位し得る操作対象として、操作デバイスとしての回転操作部１０２、タッチパネルで操作可能なＧＵＩとしてのつまみアイコンＯｉ、スライドバーＳｂを用いた。これに限らず、ユーザの操作により所定の範囲内で変位し得る操作対象であれば、この他種々の操作デバイス及びＧＵＩを用いるようにしてもよい。
【０５８１】
例えば、回転操作部１０２の代わりに、操作デバイスとしてのスライドバーやアナログスティックを携帯型再生装置１００の筐体１０１に設けるようにしてもよい。
【０５８２】
（６−１３）他の実施の形態１３
さらに上述した第１の実施の形態では、音楽データを再生する携帯型再生装置１００に本発明を適用した。また第４の実施の形態では、画像データを再生する携帯型画像表示装置に本発明を適用した。これに限らず、この他種々のコンテンツデータ（例えば動画像データやテキストデータ）を検索する装置に本発明を適用してもよく、また適用することができる。具体的には、ゲーム機、パーソナルコンピュータ、テレビジョン受像機、ビデオレコーダなどに適用することができる。
【０５８３】
（６−１４）他の実施の形態１４
さらに、本発明は、上述した第１乃至第５の実施の形態及びここまで説明した他の実施の形態に限定されるものではなく、これらの一部または全部を任意に組み合わせた形態、もしくは一部を抽出した形態にもその適用範囲が及ぶものである。
【０５８４】
例えば、第１の実施の形態と、第４の実施の形態とを組み合わせることで、音楽データの検索と、アルバムジャケット画像の検索とを同期させるようにしてもよい。
【０５８５】
具体的には、携帯型画像表示装置５００に、携帯型再生装置１００の機能を追加する。そして、この携帯型画像表示装置５００が、つまみアイコンＯｉの回転量に応じて、携帯型再生装置１００と同様の音声検索を行う。そして携帯型画像表示装置５００は、サビ検索モード時には、サビ再生中の音楽データが収録されたアルバムのジャケット画像を表示部５０２に表示させる。このとき前後のアルバムのジャケット画像を表示してもよい。
【０５８６】
またアーティスト検索モード時には、選択中のアーティスト名と共に、そのアーティスト名に区分されるアルバムタイトルに対応するアルバムのジャケット画像を表示する。このとき前後のアーティスト名に区分されるアルバムタイトルに対応するアルバムのジャケット画像を表示してもよい。さらに、イニシャル検索モード時には、選択中のイニシャルと共に、そのイニシャルに区分されるアルバムタイトルに対応するアルバムのジャケット画像を表示する。このとき前後のイニシャルに区分されるアルバムタイトルに対応するアルバムのジャケット画像も表示してよい。
【０５８７】
このように音声と画像とで音楽データを検索させるようにすれば、音声だけ、または画像だけで検索する場合よりも情報量が増えるので、より容易に所望の音楽データを検索することができる。またユーザを楽しませながら音楽データを検索させることができるとも言える。
【０５８８】
またこれに限らず、例えば、携帯型画像表示装置５００に、携帯型再生装置１００の回転操作部１０２を設けるようにしてもよい。
【０５８９】
さらに上述した第４の実施の形態と、他の実施の形態１を組み合わせることで、他の実施の形態１のリモートコントローラＲＭを、携帯型画像表示装置５００のリモートコントローラとするようにしてもよい。
【産業上の利用可能性】
【０５９０】
本発明は、音楽データの検索機能を具えたオーディオプレイヤなどで広く利用することができる。
【図面の簡単な説明】
【０５９１】
【図１】第１の実施の形態の概要となる情報処理装置及び情報処理システムの構成を示すブロック図である。
【図２】携帯型再生装置の外観構成を示す略線図である。
【図３】携帯型再生装置の内部構成を示す略線図である。
【図４】関連情報データベースの構成を示す略線図である。
【図５】回転操作部の回転量とパラメータ及び設定値との関係を示す略線図である。
【図６】各検索モードでの選択対象を示す略線図である。
【図７】音声検索モード時の再生制御（１）を示すタイミングチャートである。
【図８】音声検索モード時の再生制御（２）を示すタイミングチャートである。
【図９】音声検索モード時の再生制御（３）を示すタイミングチャートである。
【図１０】音声検索モード時の再生制御（４）を示すタイミングチャートである。
【図１１】音声検索モード時の再生制御（５）を示すタイミングチャートである。
【図１２】音声検索モード時の再生制御（６）を示すタイミングチャートである。
【図１３】音声検索モード時の再生制御（７）を示すタイミングチャートである。
【図１４】音声検索モード時の再生制御（８）を示すタイミングチャートである。
【図１５】音声検索モード時の再生制御（９）を示すタイミングチャートである。
【図１６】音声検索モード時の再生制御（１０）を示すタイミングチャートである。
【図１７】音声検索モード時の再生制御（１１）を示すタイミングチャートである。
【図１８】音声検索モード時の再生制御（１２）を示すタイミングチャートである。
【図１９】音声検索モード時の再生制御（１３）を示すタイミングチャートである。
【図２０】モード切替処理手順を示すフローチャートである。
【図２１】第２の実施の形態における携帯型再生装置の外観構成を示す略線図である。
【図２２】第２の実施の形態における携帯型再生装置の内部構成を示す略線図である。
【図２３】第２の実施の形態における選択処理手順を示すフローチャートである。
【図２４】第３の実施の形態における携帯型再生装置のハードウェア構成（１）を示す略線図である。
【図２５】第３の実施の形態における携帯型再生装置のハードウェア構成（２）を示す略線図である。
【図２６】第４の実施の形態における携帯型画像表示装置の外観構成を示す略線図である。
【図２７】第４の実施の形態における携帯型画像表示装置の内部構成を示す略線図である。
【図２８】第４の実施の形態における関連情報データベースの構成を示す略線図である。
【図２９】ＧＵＩ画面の構成（１）を示す略線図である。
【図３０】つまみアイコンの回転量とパラメータとの関係を示す略線図である。
【図３１】ＧＵＩ画面の構成（２）を示す略線図である。
【図３２】ＧＵＩ画面の構成（３）を示す略線図である。
【図３３】ＧＵＩ画面の構成（４）を示す略線図である。
【図３４】ＧＵＩ画面の構成（５）を示す略線図である。
【図３５】第５の実施の形態における携帯型画像表示装置のハードウェア構成を示す略線図である。
【図３６】他の実施の形態における再生システムのシステム構成を示す略線図である。
【図３７】他の実施の形態における再生システムの内部構成を示すブロック図である。
【図３８】他の実施の形態における再生制御を示すタイミングチャートである。
【図３９】他の実施の形態における携帯型再生装置の外観構成を示す略線図である。
【図４０】他の実施の形態におけるつまみアイコンの表示例を示す略線図である。
【符号の説明】
【０５９２】
１、１２……情報処理装置、２、１７、１１２、２１２、５１１……記憶部、３、１４、１１３、５１２……パラメータ出力部、４、１８、１１４、２１３、５１３……選択部、５、１９……通知部、６……操作対象、１１……操作装置、１３、１１１、２１１、５１４……操作部、１５、７０１……送信部、１６、７０２……受信部、１００、２００、３００、４００……携帯型再生装置、１０２、２０２……回転操作部、１１５、２１４……再生部、５００……携帯型画像表示装置、５０２……表示部、５０３……タッチパネル、７００……再生システム、８００……切替ボタン、Ｏｉ……つまみアイコン、ＰＬ……再生装置、ＲＭ……リモートコントローラ、Ｓｂ……スライドバー。
【図１】
2010091629.tif 000003
【図２】
2010091629.tif 000004
【図３】
2010091629.tif 000005
【図４】
2010091629.tif 000006
【図５】
2010091629.tif 000007
【図６】
2010091629.tif 000008
【図７】
2010091629.tif 000009
【図８】
2010091629.tif 000010
【図９】
2010091629.tif 000011
【図１０】
2010091629.tif 000012
【図１１】
2010091629.tif 000013
【図１２】
2010091629.tif 000014
【図１３】
2010091629.tif 000015
【図１４】
2010091629.tif 000016
【図１５】
2010091629.tif 000017
【図１６】
2010091629.tif 000018
【図１７】
2010091629.tif 000019
【図１８】
2010091629.tif 000020
【図１９】
2010091629.tif 000021
【図２０】
2010091629.tif 000022
【図２１】
2010091629.tif 000023
【図２２】
2010091629.tif 000024
【図２３】
2010091629.tif 000025
【図２４】
2010091629.tif 000026
【図２５】
2010091629.tif 000027
【図２６】
2010091629.tif 000028
【図２７】
2010091629.tif 000029
【図２８】
2010091629.tif 000030
【図２９】
2010091629.tif 000031
【図３０】
2010091629.tif 000032
【図３１】
2010091629.tif 000033
【図３２】
2010091629.tif 000034
【図３３】
2010091629.tif 000035
【図３４】
2010091629.tif 000036
【図３５】
2010091629.tif 000037
【図３６】
2010091629.tif 000038
【図３７】
2010091629.tif 000039
【図３８】
2010091629.tif 000040
【図３９】
2010091629.tif 000041
【図４０】
2010091629.tif 000042